(57)【要約】【課題】ばね受け具を固定する簡易な構成を提供する。【解決手段】連結具１−２は、突出部１１４を固定用孔３１ｂ−３に嵌めた後にカシメ加工が施されると共に、さらにねじ１１９によってプレート部１１０に固定される。しかし、連結具１−２は、突出部１１４をかしめることなく、一箇所に配置された一つのねじ１１９のみによってプレート部１１０に固定されてもよい。一箇所に配置された一つのねじ１１９によって連結具１−２がプレート部１１０に固定される場合、固定手段が極めて簡易になる。【選択図】図３８
2019029133.tif 000002
【特許請求の範囲】
【請求項１】
光源ユニット取付部を有する器具本体と、プレート部を有し、前記プレート部の一方の面の側に光源が配置され、前記プレート部の前記一方の面の裏側である他方の面の側が前記光源ユニット取付部と対向した状態で前記光源ユニット取付部に着脱自在に取り付けられる光源ユニットとを備えている照明装置の取付装置であって、
前記器具本体に固定される器具側取付部と、
前記器具側取付部と対をなすように前記光源ユニットに固定され、前記器具側取付部と連結されるユニット側取付部と
を備え、
前記ユニット側取付部は、
一箇所に配置される一つの固定部によって、前記プレート部に固定されている取付装置。
【請求項２】
前記器具本体は、
収容凹部が形成されており、
前記光源ユニットは、
一部が前記収容凹部に収容された状態で前記器具本体に取り付けられる、
請求項１に記載の取付装置。
【請求項３】
前記器具側取付部と前記ユニット側取付部とは、
着脱自在に連結される請求項１または請求項２に記載の取付装置。
【請求項４】
前記プレート部は、
前記一方の面から前記他方の面の方向へ凹む形状で前記他方の面へ凸形状に突き出ている凸形状部を有し、
前記ユニット側取付部は、
前記凸形状部を介して、前記一つの固定部によって前記プレート部に固定されている請求項１から請求項３のいずれか一項に記載の取付装置。
【請求項５】
前記凸形状部は、
貫通孔が形成されており、
前記ユニット側取付部は、
前記貫通孔を貫通している前記一つの固定部によって前記プレート部に固定されている請求項４に記載の取付装置。
【請求項６】
前記一つの固定部は、
先端が前記一方の面よりも前記他方の面の側に配置された状態で、前記ユニット側取付部を前記プレート部の前記他方の面に固定する請求項５に記載の取付装置。
【請求項７】
前記取付装置は、
複数の前記ユニット側取付部を備えており、
前記プレート部は、長手形状であり、
複数の前記ユニット側取付部は、
前記プレート部の長手方向に沿って、離隔して配置されている請求項１から請求項６のいずれか一項に記載の取付装置。
【請求項８】
前記器具側取付部と前記ユニット側取付部とのどちらかは、
弾性具であり、
前記器具側取付部が前記弾性具の場合、前記ユニット側取付部は、前記弾性具と連結する連結具であり、
前記ユニット側取付部が前記弾性具の場合、前記器具側取付部は、前記弾性具と連結する連結具であり、
前記連結具は、
前記光源ユニットと前記器具本体とが離隔している状態で、前記光源ユニットの前記プレート部の２つの側辺のうち一方の側辺が他方の側辺よりも前記収容凹部の底をなす底面部に対して近い位置に存在するように、前記光源ユニットの姿勢を維持する請求項２に記載の取付装置。
【請求項９】
前記器具側取付部は、
弾性具であり、
前記ユニット側取付部は、前記弾性具と連結する連結具である請求項１から請求項８のいずれか一項に記載の取付装置。
【請求項１０】
請求項１から請求項９のいずれか一項に記載の取付装置を備える照明装置。
【発明の詳細な説明】
【技術分野】
【０００１】
本発明は、光源を備えた光源ユニットを器具本体に対して着脱自在に取り付けるために用いられる照明装置用の取付装置に関する。
【背景技術】
【０００２】
従来、発光モジュールおよび直流電源装置を内蔵する長尺状の光源部と、この光源部の一部が挿入される凹部を有する器具本体部とを備える照明器具であって、光源部が器具本体部に着脱自在に取り付けられる照明器具がある。
【先行技術文献】
【特許文献】
【０００３】
【特許文献１】特開２０１５−０２２８８１号公報
【特許文献２】特開２０１５−１１５２４３号公報
【発明の概要】
【発明が解決しようとする課題】
【０００４】
従来では、ばね及びばね受け具を固定するために、複数の固定手段を用いていたので、固定するのに負担があった。
【０００５】
この発明は、簡易な固定手段の提供を目的とする。
【課題を解決するための手段】
【０００６】
この発明の取付装置は、
光源ユニット取付部を有する器具本体と、プレート部を有し、前記プレート部の一方の面の側に光源が配置され、前記プレート部の前記一方の面の裏側である他方の面の側が前記光源ユニット取付部と対向した状態で前記光源ユニット取付部に着脱自在に取り付けられる光源ユニットとを備えている照明装置の取付装置であって、
前記器具本体に固定される器具側取付部と、
前記器具側取付部と対をなすように前記光源ユニットに固定され、前記器具側取付部と連結されるユニット側取付部と
を備え、
前記ユニット側取付部は、
一箇所に配置される一つの固定部によって、前記プレート部に固定されている。
【発明の効果】
【０００７】
本発明の取付装置では、ユニット側取付部は、一箇所に配置された一つの固定部によって、プレート部に固定されている。よって、簡易な固定手段を提供できる。
【図面の簡単な説明】
【０００８】
【図１】実施の形態１の図で、照明装置１０の斜視図。
【図２】実施の形態１の図で、照明装置１０を光源ユニット１００と器具本体２００に分解した分割斜視図。
【図３】実施の形態１の図で、器具本体２００に光源ユニット１００を取り付ける途中を示す図。
【図４】実施の形態１の図で、光源ユニット１００の分解斜視図。
【図５】実施の形態１の図で、光源ユニット１００の斜視図。
【図６】実施の形態１の図で、連結具１５０斜視図。
【図７】実施の形態１の図で、連結具１５０の６面図。
【図８】実施の形態１の図で、連結具１５０の開口形状のバリエーションを示す図。
【図９】実施の形態１の図で、板ばね２３０の正面図。
【図１０】実施の形態１の図で、板ばね２３０の斜視図。
【図１１】実施の形態１の図で、器具本体２００の斜視図。
【図１２】実施の形態１の図で、連結具１５０の開口１５２へ板ばね２３０を差し込む場合を示す図。
【図１３】実施の形態１の図で、器具本体２００への光源ユニット１００の取り付け工程を示す図。
【図１４】実施の形態１の図で、器具本体２００への光源ユニット１００の取り付けが終了した場合の断面図であり（ａ）は長手方向の縦断面図、（ｂ）は短手方向の断面図。
【図１５】実施の形態１の図で、板ばね２３０と連結具１５０との係合関係を示す図。
【図１６】実施の形態１の図で、図１５を補足するための図。
【図１７】実施の形態１の図で、図１５に対する変形例１を示す図。
【図１８】実施の形態１の図で、図１５に対する変形例２を示す図。
【図１９】実施の形態１の図で、図１５に対する変形例３を示す図。
【図２０】実施の形態２の図で、摺動ガイド２１１ａａを示す図。
【図２１】実施の形態２の図で、摺動ガイド２１１ａａを説明する断面図で、（ａ）は長手方向の縦断面図、（ｂ）は短手方向の断面図。
【図２２】実施の形態３の図で、連結具１５０の上端部１５１と、器具側嵌合部９２１２とを示す斜視図。
【図２３】実施の形態３の図で、上端部１５１と器具側嵌合部９２１２との係合を示す図で、（ａ）は長手方向の縦断面図、（ｂ）は短手方向の断面図。
【図２４】実施の形態３の図で、変形例を示す図であり、（ａ）は長手方向の縦断面図、（ｂ）は連結具１５０を示す図。
【図２５】実施の形態４の図で、連結具１５０の上端部１５１と、器具側嵌合部９２１２とを示す斜視図。
【図２６】実施の形態４の図で、上端部１５１と器具側嵌合部９２１２との係合を示す図で、（ａ）は長手方向の縦断面図、（ｂ）は短手方向の断面図。
【図２７】実施の形態４の図で、変形例を示す図であり、（ａ）は長手方向の縦断面図、（ｂ）は連結具１５０を示す図。
【図２８】実施の形態５の図で、連結具１５０の開口１５２へ板ばね２３０を差し込む場合を示す図。
【図２９】実施の形態５の図で、傾斜辺部１５２ｄによる作用効果を示す図であり、  （ａ）は光源ユニット１００が右上がりの状態を示し、（ｂ）は光源ユニット１００が右下がりの状態を示す図。
【図３０】実施の形態５の図で、傾斜辺部１５２ｄの変形例である傾斜辺部１５２ｅを示す図であり、（ａ）は光源ユニット１００が右上がりの状態を示し、（ｂ）は光源ユニット１００が右下がりの状態を示す図。
【図３１】実施の形態６の図で、上端部１５１ａを備えた連結具１５０の斜視図であり、（ａ）は開口１５２の向こう側にねじ止め部１５４が見える斜視図、（ｂ）は開口１５２の手前側にねじ止め部１５４が見える斜視図、（ｃ）は連結具１５０の正面図。
【図３２】実施の形態６の図で、上端部１５１ａの作用効果を示す照明装置１０の断面図。
【図３３】実施の形態７の図で、連結具１−１の斜視図。
【図３４】実施の形態７の図で、連結具１−１の別の斜視図。
【図３５】実施の形態７の図で、図３３のＡ方向矢視図。
【図３６】実施の形態７の図で、連結具１−１の模式的な取付断面図。
【図３７】実施の形態７の図で、連結具１−１が光源ユニット１００の姿勢を維持する模式的な図。
【図３８】実施の形態７の図で、連結具１−２の斜視図。
【図３９】実施の形態７の図で、連結具１−２の別の斜視図。
【図４０】実施の形態７の図で、図３８のＡ方向矢視図。
【図４１】実施の形態７の図で、連結具１−２の模式的な取付断面図。
【図４２】実施の形態７の図で、連結具１−２が光源ユニット１００の姿勢を維持する模式的な図。
【図４３】実施の形態７の図で、連結具１−３の斜視図。
【図４４】実施の形態７の図で、連結具１−３の別の斜視図。
【図４５】実施の形態７の図で、図４３のＡ方向矢視図。
【図４６】実施の形態７の図で、連結具１−３の模式的な側面図。
【図４７】実施の形態７の図で、連結具１−４の斜視図。
【図４８】実施の形態７の図で、連結具１−４の別の斜視図。
【図４９】実施の形態７の図で、図４７のＡ方向矢視図。
【図５０】実施の形態７の図で、連結具１−４の模式的な取付断面図。
【図５１】実施の形態７の図で、連結具１−５の斜視図。
【図５２】実施の形態７の図で、連結具１−５の別の斜視図。
【図５３】実施の形態７の図で、図５１のＡ方向矢視図。
【図５４】実施の形態７の図で、連結具１−５の模式的な取付断面図。
【図５５】実施の形態７の図で、連結具１−６の斜視図。
【図５６】実施の形態７の図で、連結具１−６の別の斜視図。
【図５７】実施の形態７の図で、図５５のＡ方向矢視図。
【図５８】実施の形態７の図で、連結具１−６の模式的な取付断面図。
【図５９】実施の形態７の図で、連結具１−７の斜視図。
【図６０】実施の形態７の図で、連結具１−７の別の斜視図。
【図６１】実施の形態７の図で、図５９のＡ方向矢視図。
【図６２】実施の形態７の図で、連結具１−７の模式的な取付断面図。
【図６３】実施の形態７の図で、連結具１−８の斜視図。
【図６４】実施の形態７の図で、連結具１−８の別の斜視図。
【図６５】実施の形態７の図で、図６３のＡ方向矢視図。
【図６６】実施の形態７の図で、連結具１−９の斜視図。
【図６７】実施の形態７の図で、連結具１−９の別の斜視図。
【図６８】実施の形態７の図で、図６６のＡ方向矢視図。
【図６９】実施の形態７の図で、連結具１−１０の斜視図。
【図７０】実施の形態７の図で、連結具１−１０の別の斜視図。
【図７１】実施の形態７の図で、図６９のＡ方向矢視図。
【図７２】実施の形態７の図で、連結具１−１１の斜視図。
【図７３】実施の形態７の図で、連結具１−１１の別の斜視図。
【図７４】実施の形態７の図で、図７２のＡ方向矢視図。
【図７５】実施の形態７の図で、連結具１−１１の模式的な取付断面図。
【図７６】実施の形態７の図で、連結具１−１２の斜視図。
【図７７】実施の形態７の図で、連結具１−１２の別の斜視図。
【図７８】実施の形態７の図で、図７６のＡ方向矢視図。
【図７９】実施の形態７の図で、連結具１−１３の斜視図。
【図８０】実施の形態７の図で、連結具１−１３の別の斜視図。
【図８１】実施の形態７の図で、図７９のＡ方向矢視図。
【図８２】実施の形態７の図で、連結具１−１３の模式的な取付断面図。
【図８３】実施の形態７の図で、連結具１−１４の斜視図。
【図８４】実施の形態７の図で、連結具１−１４の別の斜視図。
【図８５】実施の形態７の図で、図８３のＡ方向矢視図。
【図８６】実施の形態７の図で、連結具１−１４の模式的な取付断面図。
【図８７】実施の形態７の図で、連結具１−１５の斜視図。
【図８８】実施の形態７の図で、連結具１−１５の別の斜視図。
【図８９】実施の形態７の図で、図８７のＡ方向矢視図。
【図９０】実施の形態７の図で、連結具１−１５の模式的な取付断面図。
【図９１】実施の形態７の図で、連結具１−１６の斜視図。
【図９２】実施の形態７の図で、連結具１−１６の別の斜視図。
【図９３】実施の形態７の図で、図９１のＡ方向矢視図。
【図９４】実施の形態７の図で、連結具１−１７の斜視図。
【図９５】実施の形態７の図で、連結具１−１７の別の斜視図。
【図９６】実施の形態７の図で、図９４のＡ方向矢視図。
【図９７】実施の形態７の図で、結具１−１７の模式的な取付断面図。
【発明を実施するための形態】
【０００９】
以下、本発明の実施の形態について、図面を用いて説明する。なお、以下に説明する実施の形態によって本発明が限定されない。また、以下の図面では各構成部の大きさの関係が実際のものとは異なる場合がある。また、実施の形態の説明において、「上」、「下」、「左」、「右」、「前」、「後」、「表」、「裏」といった方向や位置が示されている場合、それらの表記は、説明の便宜上、そのように記載しているだけであって、装置、器具、部品等の配置や向き等を限定しない。
【００１０】
実施の形態１．
＜＊＊＊構成の説明＊＊＊＞
図１〜図１９を参照して実施の形態１を説明する。
【００１１】
図１は照明装置１０の斜視図である。図２は、照明装置１０を光源ユニット１００と器具本体２００に分解した分割斜視図である。図３は、器具本体２００に光源ユニット１００を取り付ける途中を示す図である。
【００１２】
＜照明装置１０＞
図１に示すように、照明装置１０は、天井、壁などの図１４に示す取付部３００に取り付けられる長手形状の照明装置であり、長手方向Ｘに延びた長尺状の照明装置である。なお、光源ユニット１００、器具本体２００も同様に照明装置１０の長手方向Ｘに沿った長手形状である。光源ユニット１００、器具本体２００の長手方向、短手方向は、照明装置１０と同様に、長手方向Ｘ、短手方向Ｙと呼ぶ。図１〜図３に示すように、照明装置１０は、光源ユニット１００と、光源ユニット１００が着脱可能に取り付けられる器具本体２００とを備える。
照明装置１０は、器具本体２００と光源ユニット１００との位置関係は、前者が上で、後者が下であってもよいし、両者が左右に位置するような関係であってもよいし、互いに斜めに位置するような関係であってもよい。また、この照明装置１０は、長手方向あるいは短手方向に複数連結して使用される場合がある。
【００１３】
照明装置１０は、長手形状の器具本体２００と、器具本体２００に取り付けられる光源ユニット１００と、光源ユニット１００を弾性力によって器具本体２００の方向に引っ張ると共に、器具本体２００の短手方向Ｙに対する光源ユニット１００の位置を決める引張機構部９０１０を備える。引張機構部９０１０は後述のように板ばね２３０と連結具１５０により構成される。また、引張機構部９０１０は後述のように、光源ユニット１００を弾性力によって器具本体２００の方向に引っ張ると共に、光源ユニット１００の器具本体２００の長手方向Ｘまわりの取り付け角度を決める。
【００１４】
＜光源ユニット１００＞
図４は、光源ユニット１００の分解斜視図である。図５は、光源ユニット１００の斜視図である。図６は、連結具１５０の斜視図である。図４、図５に示すように、光源ユニット１００は、プレート部１１０、発光素子基板１２０、カバー１３０、電源装置１４０、２つの連結具１５０を有する。プレート部１１０は、長手方向に延びた板状の平面部１１１を有する。平面部１１１の一面側は、発光素子１２０ａが実装された発光素子基板１２０が取り付けられる基板取付面部１１１ａである。他面は電源装置１４０、連結具１５０が取り付けられる電源取付面部１１１ｂである。
また、プレート部１１０は、長手方向Ｘに延びる側壁をなす一対のプレート側部１１２を備える。プレート側部１１２の端部には、カバー係合部１３３と係合するプレート係合部１１２ａが形成されている。
【００１５】
光源ユニット１００は長手形状の器具本体２００に取り付けられる。光源ユニット１００は、器具本体２００に配置された器具側取付部９２００と連結することで弾性力によって器具本体２００の方向に引っ張られると共に、器具本体２００の短手方向Ｙに対する位置決めをする光源側取付部９１００を備える。実施の形態１では、板ばね２３０を器具側取付部９２００として、板ばね２３０と連結する連結具１５０を光源側取付部９１００として説明するが、後述する実施の形態４の最後に記載しているように、板ばね２３０を光源ユニット１００に配置し、連結具１５０を器具本体２００に配置してもよい。その場合、板ばね２３０が光源側取付部９１００であり、連結具１５０が器具側取付部９２００である。なお、板ばね２３０と連結具１５０は作用反作用で互いに引っ張りあうため、一方は他方に引っ張られる。つまり、連結具１５０は板ばね２３０に引っ張られるし、板ばね２３０は連結具１５０に引っ張られる。
【００１６】
また光源側取付部９１００は、器具本体２００に対する器具本体２００の長手方向Ｘまわりの取り付け角度を決める。
【００１７】
＜プレート部１１０＞
図４に示すように、プレート部１１０は、長尺状の平板である平面部１１１と、平面部１１１の短手方向の両端が折り曲げられて形成されるプレート側部１１２とを有し、短手方向に切る断面が略コ字形状である。基板取付面部１１１ａには、発光素子基板１２０が取り付けられる。また、基板取付面部１１１ａの裏面である電源取付面部１１１ｂには、発光素子基板１２０に電力を供給する電源装置１４０と、２つの連結具１５０とが取り付けられる。
【００１８】
＜発光素子基板１２０＞
図４に示すように、光源ユニット１００は、発光素子１２０ａとしてＬＥＤ素子が用いられている。詳しくは、波長が４４０〜４８０〔ｎｍ〕の青色光を出射するＬＥＤチップ上に青色光を黄色光に波長変換する蛍光体を配してパッケージ化された面実装部品である疑似白色ＬＥＤ素子が用いられる。
【００１９】
なお、発光素子１２０ａの数、種類、配置される位置は照明装置１０または光源ユニット１００の用途に応じて決定されるものであって、発光素子１２０ａの数、種類、配置される位置は限定されない。
例えば、発光素子１２０ａであるＬＥＤはパッケージ化された面実装部品以外の砲弾型、ＣＯＢなどの態様であってもよい。また、光源ユニット１００は、ＬＥＤ素子以外の光源素子を用いたものであってもよく、例えば、有機エレクトロルミネッセンス（Ｏｒｇａｎｉｃ−Ｅｌｅｃｔｒｏｌｕｍｉｎｅｓｃｅｎｃｅ；以下、有機ＥＬと称する）、レーザダイオード（ＬＤ）などの固体発光素子を使用することもできる。
詳しくは、長手方向の長さが基板１２０ｂまたはプレート部１１０の長手方向の長さと略等しい、長尺の有機ＥＬ素子１つを発光素子１２０ａとして用い、有機ＥＬ素子の長手方向と基板１２０ｂまたはプレート部１１０の長手方向が並行になるように配置してもよい。
【００２０】
また、実施の形態１に係る発光素子１２０ａから出射する光は、発光面に垂直な軸に対して対称に照射角αだけ広がる。実施の形態１ではこの照射角αは１２０度である。
【００２１】
＜カバー１３０＞
図４に示すように、カバー１３０は、発光素子１２０ａを覆って長手方向に延びる。また、カバー１３０は、発光素子１２０ａの発光面と対向するカバー前面部１３２とカバー前面部１３２の短手方向Ｙの両端部と繋がるカバー側部１３１とを有する。カバー１３０は、カバー側部１３１がプレート部１１０の短手方向Ｙの端部であるプレート側部１１２を覆うようにしてプレート部１１０に取り付けられる。
【００２２】
カバー１３０は、プレート部１１０に取り付けられた発光素子基板１２０を覆うようにプレート部１１０に取り付けられる。詳しくは、カバー側部１３１の端部に設けられたカバー係合部１３３が、プレート側部１１２の先端に設けられたプレート係合部１１２ａに取り付けられることによって、カバー１３０がプレート部１１０に固定される。
【００２３】
カバー１３０は、樹脂材料を用いて押出成形などの方法で製造される。カバー１３０は、全体が透光性の樹脂材料を用いて形成されてもよいし、一部が遮光性の樹脂材料を用いて形成されてもよい。カバー１３０の長手方向の両端部には、端部カバー１３４が取り付けられる。
【００２４】
＜電源装置１４０＞
電源装置１４０は、平面部１１１の電源取付面部１１１ｂに取り付けられている。
【００２５】
＜連結具１５０＞
図７は連結具１５０の６面図である。２つの連結具１５０は、平面部１１１の他面側である電源取付面部１１１ｂの長手方向Ｘの両端部側にそれぞれ取り付けられている。連結具１５０は、後述する器具本体２００の板ばね２３０とともに、光源ユニット１００を引っ張ることで器具本体２００に取り付ける引張機構部９０１０を構成する。連結具１５０は、後述する器具本体２００が備える板ばね２３０に連結し、光源ユニット１００を器具本体２００に固定する。
【００２６】
連結具１５０は、光源ユニット１００の形状に応じて設置される数が変更することができる。光源ユニット１００の長手方向の長さが短い場合は、長手方向の一端部のみに連結具１５０を設置し他端部はフックなどで固定する機構としてもよい。また、光源ユニット１００の長手方向の長さが長い場合は、長手方向の両端部側と中央部に３つ以上の連結具１５０を設置してもよい。
【００２７】
２つの連結具１５０はいずれも略Ｌ形状をなしている。連結具１５０は、取付方向に立ち上がる板部１５０１と、板部１５０１の短手方向の両側に設けられた取付部材１５３と、板部１５０１の下辺部に設けられた連結具１５０をねじ止めするためのねじ止め部１５４とを備える。取付部材１５３は、プレート部１１０に形成された図示していない係合部と係合して、連結具１５０をプレート部１１０に係止する。図６に示すように、ねじ止め部１５４は、プレート部１１０の電源取付面部１１１ｂに形成された取付け部１１１ｃにねじ止めされる。板部１５０１には、後述する板ばねを挿入する開口１５２が形成される。
【００２８】
後述の図１６のように、連結具１５０は、板状をなし、板ばね２３０が挿入される開口１５２であって板ばね２３０が当接する縁９１５２ａの幅の両端９１５２ｃで板ばね２３０を拘束する開口１５２が形成された板部１５０１を有する。縁９１５２ａとは上辺部１５２ａであり、幅の両端９１５２ｃとは両側の側辺部１５２ｃのうち、上辺部１５２ａの端と角を作る部分である。
【００２９】
図１５、図１６で後述するが、開口１５２は、後述する板ばね２３０を連結具１５０に連結させる。実施の形態１における開口１５２は台形形状をしており、下辺部１５２ｂの長さ寸法Ｗ１に対して上辺部１５２ａの長さ寸法Ｗ２が小さく、両側の側辺部１５２ｃが下辺部１５２ｂから上辺部１５２ａに向って徐々に窄まるように形成されている。上辺部１５２ａおよび下辺部１５２ｂは電源取付面部１１１ｂに沿っており、光源ユニット１００を器具本体２００に取り付けたり取り外したりする挿抜方向Ｚと直交する。また、上辺部１５２ａおよび下辺部１５２ｂは後述する板ばね２３０に沿っている。
【００３０】
図８は、連結具１５０の開口形状のバリエーションを示す図である。図８（ａ）に示すように、上辺部１５２ａと下辺部１５２ｂとを繋ぐ両側の側辺部１５２ｃは直線状でもよいが、これに限らず曲線状であってもよいし、直線状の部分と曲線状の部分とを組み合せてもよい。
図８（ｂ）（ｃ）はそれぞれ、側辺部１５２ｃが全部曲線、側辺部１５２ｃのうち破線部分が曲線の場合を示す。
【００３１】
＜器具本体２００＞
図１１は、器具本体２００の斜視図である。器具本体２００は、本体部２１０と、本体部２１０の両端部に取り付けられる端板部２２０とを備える。器具本体２００は長手形状である。本体部２１０は、短手方向の断面形状がコの字状に折り曲げられて形成され、長手方向Ｘに延びた凹部２１１を備える。実施の形態１では、本体部２１０は、板金が折り曲げられて形成される。なお、器具本体２００を形成する本体部２１０および端板部２２０は、金属以外の材料を用いて形成されてもよく、例えば、樹脂材料を用いて形成されていてもよい。図２に示すように、器具本体２００にはａ，ｂ，ｃ，ｄの矩形をなす開口が形成されており、この開口から光源ユニット１００の一部が収納される。
【００３２】
凹部２１１は、長手方向に延びた底面部２１１ａと、底面部２１１ａの短手方向の両端部を基端部として立ち上がる側面部２１１ｂとを備える。また、本体部２１０は、傾斜部２１１ｄを備える。
【００３３】
凹部２１１の底面部２１１ａには、端子台２４０と、２つの板ばね２３０が設置される。端子台２４０は、電源端子台である。あるいは、端子台２４０は信号端子台でも構わない。板ばね２３０は、上述した光源ユニット１００が備える連結具１５０に対応する位置に配置される。
【００３４】
図１４に示すように、照明装置１０は、器具本体２００の上面を天井面等の取付部に直付けする直付けタイプの照明装置である。すなわち、照明装置１０は、直付けタイプの器具本体２００を備える。
図１４の器具本体２００の短手方向の幅Ｌ（０）は、例えば、２３０ｍｍである。また、照明装置１０の傾斜部２１１ｄは、水平面から角度θ傾斜している。
【００３５】
図示は省略するが、照明装置１０は、光源ユニット１００といくつかの異なるタイプの器具本体と組み合わせることによってさまざまなタイプの照明装置を構成することができる。
【００３６】
（バリエーション１）
照明装置の短手方向の幅が照明装置１０の短手方向の幅Ｌ（０）の０．６〜０．７倍であってもよく、具体的には１５０ｍｍの幅を採用することができる。この際、照明装置の傾斜部の水平面からの角度θは、図１４の角度θよりも大きくなる。
【００３７】
（バリエーション２）
照明装置は、器具本体が光を反射させる構成を備えていないトラフタイプの照明器具を備えたものであってもよい。
【００３８】
（バリエーション３）
直付けタイプの照明装置の別の例として、器具本体の傾斜部が凹部２１１の下方に向かって広がるように形成された反射笠タイプの照明器具を備えたものであってもよい。
【００３９】
（バリエーション４）
照明装置は、天井面等の取付部に形成された取付孔に埋め込まれて取り付けられる埋込タイプの照明器具を備えたものであってもよい。照明装置の短手方向の幅は、例えば１００ｍｍ〜１５０ｍｍ程度の寸法を採用することができる。
【００４０】
（バリエーション５）
埋め込みタイプの照明装置は、Ｃチャンネル回避型の照明器具を備えたものであってもよい。埋め込まれる器具本体の高さが低く、照明装置の短手方向の幅は、例えば、２２０ｍｍ程度の寸法を採用することができる。
【００４１】
上述したように、光源ユニット１００と凹部２１１との取付構造は、実施の形態１で説明した取付構造と同一である。
なお、上述した光源ユニット、器具本体、および照明器具は、いずれも長手形状の例であるが、これ限らず、正方形、円形、多角形など他の形状であってもよい。
【００４２】
＜板ばね２３０＞
図９は、板ばね２３０の正面図である。図１０は、板ばね２３０の斜視図である。実施の形態１では、図１５、図１６で後述するが、板ばね２３０の幅寸法は全体にわたって同じ寸法Ｗ３である。
【００４３】
板ばね２３０は、ステンレス材料や、バネ鋼板などの弾性材料で形成された、長手形状の板ばねである。板ばね２３０は、第１平坦部Ｌ１、第１曲げ部Ｍ１、第２平坦部Ｌ２、第２曲げ部Ｍ２、第３平坦部Ｌ３、第３曲げ部Ｍ３、第４平坦部Ｌ４、第４曲げ部Ｍ４、円弧部Ｅ、屈曲部Ｋを備える。第１平坦部Ｌ１は、凹部２１１の底面部２１１ａに固定される固定部２３１である。円弧形状部２３２が、第１曲げ部Ｍ１、第２平坦部Ｌ２、第２曲げ部Ｍ２、第３平坦部Ｌ３、第３曲げ部Ｍ３、第４平坦部Ｌ４、第４曲げ部Ｍ４、円弧部Ｅによって構成される。屈曲部Ｋは先端部２３３である。
（１）第１平坦部Ｌ１は、長手形状の一方の端部から長手方向に向かう。第１平坦部Ｌ１はねじで底面部２１１ａに固定される。
（２）第１曲げ部Ｍ１は、第１平坦部Ｌ１の終わりに、第１曲げ半径Ｒ１で形成される。（３）第２平坦部Ｌ２は、第１曲げ半径Ｒ１で第１角度θ１に曲げられて第１平坦部Ｌ１から立ち上がる。第２平坦部Ｌ２は、可動の軸になる。
（４）第２曲げ部Ｍ２は、第２平坦部Ｌ２の終わりに、第１曲げ半径Ｒ１と反対向きに第２曲げ半径Ｒ２で形成される。
（５）第３平坦部Ｌ３は、第２曲げ半径Ｒ２で鋭角の第２角度θ２に曲げられて延びる。（６）第３曲げ部Ｍ３は、第３平坦部Ｌ３の終わりに、第２曲げ半径Ｒ２と反対向きに第３曲げ半径Ｒ３で形成される。第３曲げ部Ｍ３は、光源ユニット１００が器具本体２００に装着完了となる直前に連結具１５０の板部１５０１に当たることで、円弧部Ｅの摺動を制御する。
（７）第４平坦部Ｌ４は、第３曲げ半径Ｒ３で鋭角の第３角度θ３に曲げられて延びる。（８）第４曲げ部Ｍ４は、第４平坦部Ｌ４の終わりに、第３曲げ半径Ｒ３と反対向きに第４曲げ半径Ｒ４で形成される。
（９）円弧部Ｅは、第４曲げ半径Ｒ４で鈍角の第４角度θ４に曲げられて第１平坦部Ｌ１の向かう長手方向に延びると共に第２平坦部Ｌ２の立ち上がる方向に凸となる円弧形状の部分である。円弧部Ｅは、連結具１５０の上辺部１５２ａと当接して摺動する摺動部である。
（１０）屈曲部Ｋは、円弧部Ｅの端部が屈曲されたものであり、連結具１５０の上辺部１５２ａに引っ掛けられる。
【００４４】
第２平坦部Ｌ２は、板ばね２３０が光源ユニット１００を引っ張る弾性作用時の可動軸になる。
【００４５】
板ばね２３０は、光源ユニット１００の連結具１５０とともに、照明装置１０の引張機構部９０１０を構成する。引張機構部９０１０は、器具本体２００に配置される板ばね２３０と、光源ユニット１００に配置され、板ばね２３０と連結することで光源ユニット１００を器具本体２００の方向に引っ張る連結具１５０とを備える。連結具１５０は板部１５０１を有するが、板部１５０１は、板状をなし、板ばね２３０が挿入される開口１５２であり板ばね２３０が当接する縁９１５２ａの幅の両端９１５２ｃで板ばね２３０を拘束する開口１５２が形成されている。
【００４６】
なお、板ばね２３０は、器具本体２００の形状に応じて設置される数を変更することができる。器具本体２００の長手方向の長さが短い場合は、長手方向の一端部のみに板ばね２３０を設置し他端部はフックなどで固定する機構としてもよい。また、器具本体２００の長手方向の長さが長い場合は、長手方向の両端部と中央部に板ばね２３０を設置してもよい。中央部に板ばね２３０を設置する場合は、板ばね２３０および板ばね２３０に対応する光源ユニット１００が備える連結具１５０が、光源ユニット１００に取り付けられる電源装置１４０と干渉しない位置を選択する。
【００４７】
＜端子台２４０＞
端子台２４０には外部電源に接続される電源電線が接続される。また、端子台２４０には器具本体２００を長手方向に連結した場合に隣接する器具本体に電力や信号を送る送り電線が接続される。よって、凹部２１１内には、電源電線、送り電線が配設される。
【００４８】
＜光源ユニット１００の取り付け作業＞
次に、図１２〜図１４を用いて、作業者が、天井などの取付部３００に予め取り付けられた器具本体２００に対して、光源ユニット１００を取り付ける作業を説明する。図１２は、光源ユニット１００が器具本体２００に取り付けられる前の状態を示す。図１３は、光源ユニット１００の器具本体２００への取付工程を説明する図である。図１４は、光源ユニット１００の器具本体２００への取り付け後における断面を示す。図１４（ａ）は短手方向Ｙを法線方向とする面による断面であり、図１４（ｂ）は長手方向Ｘを法線方向とする面による断面である。ここで、器具本体２００の取付部３００への取り付けは、天井から吊り下げられている吊ボルトに固定する方法、ねじなどの固定具により直接天井に固定する方法などがある。
図１３において、
（ａ）は、光源ユニット１００が器具本体２００に取り付けられる前の状態を示す。
（ｂ）は、作業者が板ばね２３０の円弧部Ｅの曲率が大きくなるように、板ばね２３０を弾性変形させた状態で光源ユニット１００の先端部２３３を連結具１５０に連結した状態を示す。
（ｃ）は、円弧部Ｅの裏側Ｅａが連結具１５０の上辺部１５２ａに対して摺動する状態を示す。
（ｄ）は、光源ユニット１００が器具本体２００に取り付けられた状態を示す。
【００４９】
（図１３（ａ））
図１３（ａ）において、器具本体２００では、底面部２１１ａに板ばね２３０の固定部２３１がねじにより固定されている。光源ユニット１００は器具本体２００に取り付けられていない状態である。
【００５０】
（図１３（ｂ））
次に、図１３（ｂ）では、板ばね２３０が、第２平坦部Ｌ２を回転の中心として、円弧部Ｅが底面部２１１ａに対して略垂直状態になるように弾性変形した状態である。
作業者は、両方の連結具１５０について、開口１５２に板ばね２３０の先端部２３３から板ばね２３０をくぐらせる。作業者は、板ばね２３０の先端部２３３を、連結具１５０の開口１５２の上辺部１５２ａに引っ掛けて、光源ユニット１００を器具本体２００に吊り下げる。この状態は光源ユニット１００の仮取付状態である。２つの板ばね２３０は、器具本体２００の両端部分に配置されており、光源ユニット１００は２つの板ばね２３０で器具本体２００に対して略平行な状態で姿勢を維持して吊り下げられる。
【００５１】
（図１３（ｃ））
次に、図１３（ｃ）において、作業者が、カバー側部１３１をつかんで光源ユニット１００を取付側（上方）に持ち上げると、板ばね２３０の円弧部Ｅの裏面Ｅａが、開口１５２の上辺部１５２ａに対して、バネの復元力によって摺動する。この板ばね２３０の円弧部Ｅの摺動作用は、作業者が光源ユニット１００を取付側（上方）に持ち上げると、板ばね２３０が自ら元の形状に戻ろうとすることによるが、作業者が板ばね２３０を気にすることなく、板ばね２３０は連結具１５０に対して摺動しながら元の形状に戻る。
【００５２】
（図１３（ｄ））
次に、図１３（ｄ）において、作業者が、器具本体２００の凹部２１１に光源ユニット１００を押し上げると、連結具１５０の上端部１５１が凹部２１１の底面部２１１ａに当接する。このとき板ばね２３０は、器具本体２００への光源ユニット１００の装着が完了する直前では円弧部Ｅの摺動が抑制される。そして、器具本体２００への光源ユニット１００の装着が完了すると、板ばね２３０の円弧部Ｅが、連結具１５０の開口１５２の上辺部１５２ａと押し合う状態で、開口１５２の上辺部１５２ａに対して位置決めされる。
このとき、板ばね２３０が内側箇所で上辺部１５２ａを支持する際のバネ定数は、図１３（ｂ）において、先端部２３３で光源ユニット１００を支持する際のバネ定数に対してはるかに大きい。これは、板ばね２３０では第１平坦部Ｌ１が器具本体２００に固定されるので、第１平坦部Ｌ１を固定端とする片持ち梁として大まかに見積もることができる。板ばね２３０では、ほとんど弾性変形しない第１曲げ部Ｍ１と第４曲げ部Ｍ４との直線距離（スパン）は、第１曲げ部Ｍ１と先端部２３３との距離（スパン）の、例えば１／５〜１／６程度である。片持ち梁ではスパンはバネ定数に３乗で影響する。すなわち、第４曲げ部Ｍ４におけるバネ定数は、１／５であれば先端部２３３におけるバネ定数の１２５倍であり、１／６であれば先端部２３３におけるバネ定数の２１６倍である。このため、作業者が、器具本体２００の凹部２１１への光源ユニット１００の押し上げ（押し込み）を完了すると、板ばね２３０の第４曲げ部Ｍ４の内側箇所が、連結具１５０に形成された開口１５２の上辺部１５２ａを支持することができる。つまり、第４曲げ部Ｍ４の内側箇所で、光源ユニット１００の自重を支えることができる。
【００５３】
＜光源ユニット１００の取り外し作業＞
次に、光源ユニット１００を器具本体２００から取り外す作業について説明する。光源ユニット１００を取り外す作業は、上述した取り付ける作業の逆の手順となる。
（１）図１３（ｄ）のように、作業者は、光源ユニット１００が器具本体２００に取り付けられた状態から、カバー側部１３１を掴んで、光源ユニット１００を略水平の状態のまま照射側（下方）に引き下げる。
（２）作業者は、光源ユニット１００を図１３（ｃ）を経て図１３（ｂ）の状態まで引き下げ、板ばね２３０の先端部２３３を連結具１５０の開口１５２から外す。
（３）以上の手順で、作業者は、器具本体２００から光源ユニット１００を取り外す。
【００５４】
連結具１５０は、板ばね２３０が引っ掛けられる開口１５２が形成されている。連結具１５０の上端は、光源ユニット１００が器具本体２００に取り付けられたときに、凹部２１１の底となる底面部２１１ａに当接する上端部１５１が形成されている。
【００５５】
＜＊＊＊作用及び効果の説明＊＊＊＞
次に、図１５、図１６を用いて、実施の形態１の作用効果を説明する。図１５は、板ばね２３０と連結具１５０との係合関係を示す図である。図１６は、図１５を補足するための図である。実施の形態１において、開口１５２は、下辺部１５２ｂの長さ寸法Ｗ１、上辺部１５２ａの長さ寸法Ｗ２の台形形状である。
長さ関係は、
Ｗ１＞Ｗ２
である。
図１５に示すように、下辺部１５２ｂの長さ寸法Ｗ１に対して上辺部１５２ａの長さ寸法Ｗ２が短い。そして、実施の形態１では、板ばね２３０の幅寸法Ｗ３は、先端部２３３から固定部２３１にわたって同じ寸法である。図１５に示すように、板ばね２３０の幅寸法Ｗ３は開口１５２の上辺部１５２ａの長さ寸法Ｗ２と略同じである。図１６は、作用効果を説明するための概念図である。図１６に示すように、光源ユニット１００が器具本体２００に装着された状態において、板ばね２３０の円弧部Ｅの裏面Ｅａは、上辺部１５２ａに当たっている。かつ、裏面Ｅａが上辺部１５２ａに当たっている箇所の板ばね２３０の幅方向の両側は、開口１５２の上辺部１５２ａにつながる両側の側辺部１５２ｃの一部によって、短手方向Ｙの移動が規制される。
【００５６】
＜短手方向の位置決め＞
このため、連結具１５０が配置された光源ユニット１００は、板ばね２３０が配置された器具本体２００に対して、短手方向Ｙにおいて位置決めされることになる。したがって、短手方向Ｙにおける器具本体２００と光源ユニット１００との中心を一致させた状態で、光源ユニット１００を器具本体２００に装着できる。また、光源ユニット１００から照射される光の光軸を、器具本体２００の短手方向における中心に一致させたい場合には、容易に一致させることができる。また、光源ユニット１００を挟んで長手方向Ｘに沿って形成される、光源ユニット１００と器具本体２００との二箇所の隙間は略同等の間隔となるので、バランスが維持され意匠性も優れる。
【００５７】
＜長手方向Ｘのまわりの角度決め＞
光源ユニット１００は、板ばね２３０の内側箇所が開口１５２の上辺部１５２ａに密着した状態で、取付側（上方）に強く引張り上げられて器具本体２００に装着される。つまり、板ばね２３０が取り付けられている器具本体２００の底面部２１１ａと、連結具１５０が取り付けられているプレート部１１０の電源取付面部１１１ｂとは、互いに平行であり挿抜方向Ｚ（図１４）を法線方向とすることになる。このため、光源ユニット１００は、器具本体２００に対する長手方向Ｘまわり、つまり長手方向ＸをＸ軸とみた場合、Ｘ軸まわりの光源ユニット１００の取り付け角度６０１（図１４（ｂ））を決めることができる。したがって、光源ユニット１００は、器具本体２００に対して、長手方向Ｘまわりに関して傾いて装着されることはなく、光源ユニット１００から照射される光は一定の向きを維持できる。また、長手方向Ｘまわりの角度が正しく決められることで、光源ユニット１００を挟んで長手方向Ｘに沿って形成される、光源ユニット１００と器具本体２００との二箇所の隙間は略同等の間隔となり、バランスが維持されるため意匠性にも優れる。
【００５８】
以上説明したとおり、照明装置１０の引張機構部９０１０を構成する、光源ユニット１００の連結具１５０と器具本体２００の板ばね２３０とは、短手方向Ｙにおける器具本体２００に対する光源ユニット１００の取付位置を決定する位置決定機構を兼ねる。また照明装置１０の引張機構を構成する、光源ユニット１００の連結具１５０と器具本体２００の板ばね２３０とは、器具本体２００の長手方向Ｘまわりに対する光源ユニット１００の取付角度を決定する角度決定機構を兼ねる。
【００５９】
＜＊＊＊他の構成＊＊＊＞
図１７は、図１５に対する変形例１を説明する図である。
図１８は、図１５に対する変形例２を示す図である。
図１９は、実施の形態１の別の変形例を説明する図である。
【００６０】
＜変形例１＞
図１７では開口１５２は長方形であり、つまり上辺部１５２ａ、下辺部１５２ｂの両方が、長さ寸法Ｗ１である。また板ばね２３０は、先端部２３３の幅寸法Ｗ４が、第４曲げ部Ｍ４に向かうにしたがって、次第に幅寸法Ｗ４よりも広い幅寸法Ｗ３にまで増加していく形状である。つまり第４曲げ部Ｍ４から先端部２３３の方向にみれば、先端部２３３に向かって幅がしだいに狭くなる、テーパ形状の板ばね２３０である。そして、上辺部１５２ａの長さ寸法Ｗ１は、板ばね２３０の幅寸法Ｗ３と略同一であり、光源ユニット１００が器具本体２００に取り付けられた状態では、連結具１５０と板ばね２３０との連結状態は、図１６で述べた状態と同じになる。よって変形例１の場合も、図１６の場合と同様の作用効果を得ることができる。
【００６１】
＜変形例２＞
図１８では開口１５２は台形であるが、上辺部１５２ａのほうが、下辺部１５２ｂよりも長い。
つまり、
長さ寸法Ｗ２＞長さ寸法Ｗ１
である。
また板ばね２３０は、変形例１と同じテーパ形状である。そして、上辺部１５２ａの長さ寸法Ｗ２は、板ばね２３０の幅寸法Ｗ３と略同一であり、光源ユニット１００が器具本体２００に取り付けられた状態では、連結具１５０と板ばね２３０との連結状態は、図１６で述べた状態と同じになる。よって変形例２の場合も、図１６の場合と同様の作用効果を得ることができる。
【００６２】
＜別の変形例＞
図１９は、板ばね２３０の向きを反対にした変形例である。つまり図１１では、２つの板ばね２３０は、長手方向Ｘにおいて、先端部２３３が反対方向を向いている。
これに対して図１９の場合は、長手方向Ｘにおいて、先端部２３３が向き合う配置である。板ばね２３０の向きに合わせて連結具１５０も配置される。変形例３は図１６の構成、変形例１及び変形例２のそれぞれと組み合わせることができる。変形例３の場合も図１６で述べたのと同じ状態になる。よって変形例３の場合も、図１６の場合と同様の作用効果を得ることができる。
【００６３】
実施の形態２．
図２０、図２１を参照して実施の形態２を説明する。図２０は、摺動ガイド２１１ａａを示す斜視図である。図２１は、摺動ガイド２１１ａａを説明する断面図で、（ａ）は長手方向の縦断面図、（ｂ）は短手方向の断面図である。実施の形態２は、器具本体２００の底面部２１１ａに、板ばね２３０の摺動をガイドする摺動ガイド２１１ａａを配置して、連結具１５０、板ばね２３０に加え、さらに摺動ガイド２１１ａａによって短手方向Ｙの位置決定、及び長手方向Ｘまわりの角度決定を確実にする構成である。
【００６４】
図２０に示すように、器具本体２００は、板ばね２３０の一端である固定部２３１が固定されて板ばね２３０が配置される。器具本体２００は、板ばね２３０の他端である先端部２３３の動きを規制する板ばね規制部９２１１ａａである摺動ガイド２１１ａａを備える。図２０では、一対の摺動ガイド２１１ａａが底面部２１１ａに形成されており、一対の摺動ガイド２１１ａａによって短手方向Ｙの隙間Ｗ５が形成されている。隙間Ｗ５の長さは、先端部２３３の幅合寸法Ｗ４と、略同一である。
【００６５】
図２１に示すように、光源ユニット１００が器具本体２００に装着された場合には、板ばね２３０の先端部２３３は、隙間Ｗ５によって短手方向Ｙの移動が拘束される。
したがって、図１６で述べた状態を、一対の摺動ガイド２１１ａａによって、さらに確実にすることができる。
【００６６】
実施の形態３．
図２２〜図２４を参照して、実施の形態３を説明する。実施の形態３は、板ばね２３０と連結具１５０とからなる引張機構部９０１０が、さらに器具側嵌合部９２１２を有する。実施の形態３では、連結具１５０の有する連結側嵌合部９１５１である上端部１５１と、器具本体２００に形成された器具側嵌合部９２１２とが嵌りあうことで、引張機構部９０１０が、実施の形態１と同様の、短手方向Ｙの位置決め、長手方向Ｘまわりの角度決めの機能を有する。
【００６７】
図２２は、実施の形態１における引張機構部９０１０の、連結具１５０と器具側嵌合部９２１２とを示している。図２２に示すように、器具本体２００の底面部２１１ａには２つの器具側嵌合部９２１２が配置されている。器具側嵌合部９２１２は、挿抜方向Ｚのうち、光源ユニット１００から器具本体２００に向かう上方向Ｚに、底面部２１１ａの一部が切り起こされて形成されている。図２３（ａ）（ｂ）はそれぞれ、光源ユニット１００が器具本体２００に取り付けられた状態を示す断面図、連結具１５０を示す図である。器具側嵌合部９２１２の断面形状は三角形である。
【００６８】
実施の形態３では、器具側取付部９２００は、板ばね２３０であり、光源側取付部９１００は、板ばね２３０と連結する連結具１５０である。図２２、図２３に示すように、連結具１５０は、板状をなす板部１５０１を備える。板部１５０１は、板ばね２３０が挿入される開口１５２が形成されると共に、器具本体２００に形成された器具側嵌合部９２１２に嵌ることで器具側嵌合部９２１２に拘束される連結側嵌合部９１５１である上端部１５１を有する。
【００６９】
図２２、図２３に示すように、引張機構部９０１０は、器具本体２００に配置され、連結側嵌合部９１５１である上端部１５１に嵌ることで上端部１５１を拘束する器具側嵌合部９２１２を有する。
【００７０】
＜＊＊＊効果の説明＊＊＊＞
図２３に示すように、器具本体２００に配置された器具側嵌合部９２１２は、連結側嵌合部９１５１である上端部１５１に嵌ることで上端部１５１を拘束する。つまり、器具側嵌合部９２１２は、上端部１５１に嵌ることで光源ユニット１００の短手方向Ｙの位置決めと、光源ユニット１００の長手方向Ｘまわりの取り付け角度を決めることができる。実施の形態１の場合は、板ばね２３０の円弧部Ｅの裏面Ｅａは、上辺部１５２ａに当たり、かつ、裏面Ｅａが上辺部１５２ａに当たっている箇所の板ばね２３０の幅方向の両側は、開口１５２の上辺部１５２ａにつながる両側の側辺部１５２ｃの一部によって、短手方向Ｙの移動が規制されることが必要であった。しかし実施の形態３の場合、板ばね２３０と連結具１５０との関係は、板ばね２３０が連結具１５０を引っ張るだけでよい。なお、図１６の説明で述べた短手方向Ｙの移動規制を加えてもよいことはもちろんである。
【００７１】
図２４は、連結具１５０の上端部１５１、器具側嵌合部９２１２が図２２とは異なる形状を示す。図２４（ａ）は光源ユニット１００が器具本体２００に取り付けられた状態を示す断面図である。器具側嵌合部９２１２の断面形状は凹の円弧形状である。
図２４（ｂ）は、上端部１５１が凸の円弧形状である連結具１５０を示す。図２４では、凸の円弧形状の上端部１５１が、凹の円弧形状の器具側嵌合部９２１２に嵌ることで、光源ユニット１００の短手方向Ｙの位置決め及び光源ユニット１００の長手方向Ｘまわりの取り付け角度決めが可能となる。
【００７２】
実施の形態４．
図２５〜図２７を参照して実施形態４を説明する。図２５、図２６、図２７は実施の形態３の図２２、図２３、図２４に対応する。実施の形態４は、実施の形態３に対して、器具側嵌合部９２１２と上端部１５１の凹凸関係が逆の場合である。凹凸関係を逆にしても実施の形態３と同様の効果を得ることができる。
【００７３】
実施の形態１〜実施の形態４では、器具側取付部９２００として板ばね２３０、光源側取付部９１００として連結具１５０を説明した。しかし、実施の形態１〜実施の形態４では、器具側取付部９２００として連結具１５０、光源側取付部９１００として板ばね２３０を用いてもよい。つまり、器具本体２００に連結具１５０を配置し、光源ユニット１００に板ばね２３０を配置する構成でもよい。
その場合、引張機構部９０１０は、光源ユニット１００に配置される板ばね２３０と、器具本体２００に配置される連結具１５０とを備える。連結具１５０は板ばね２３０を器具本体２００の方向に引っ張ることになる。連結具１５０は板状の板部１５０１を有し、板部１５０１は、板ばね２３０が挿入される開口１５２であり板ばね２３０が当接する縁９１５２ａの幅の両端９１５２ｃで板ばね２３０を拘束する開口１５２が形成される。
【００７４】
器具本体２００に連結具１５０が配置される場合、連結具１５０は、板部１５０１に、連結側嵌合部９１５１である上端部１５１を有する。板ばね２３０と連結具１５０で構成される引張機構部９０１０は、光源ユニット１００に配置され、連結側嵌合部９１５１である上端部１５１に嵌ることで上端部１５１を拘束する光源側嵌合部９１１２を有する。ここで光源側嵌合部９１１２とは、図２２、図２５に示す器具側嵌合部９２１２が、光源ユニット１００のプレート部１１０の平面部１１１に形成されたもの相当する。器具側嵌合部９２１２の場合と同様に、上端部１５１との凹凸関係は、上端部１５１が凸形状でもよいし凹形状でもよい。
【００７５】
実施の形態５．
図２８、図２９を参照して実施の形態５を説明する。なお、実施の形態５では、実施の形態１〜４と異なる構成を中心に説明し、実施の形態１〜４と同じ構成については、説明を省略する。図２８は、実施の形態５に係る連結具１５０を説明する図である。図２９は、実施の形態５に係る連結具１５０を用いた光源ユニット１００の作用効果を説明する図である。
【００７６】
図２８の四角の破線範囲に示すように、実施の形態５の連結具１５０は、開口１５２を形成する下辺部１５２ｂの両側部に、一対の傾斜辺部１５２ｄが形成されている。傾斜辺部１５２ｄの中央側は下辺部１５２ｂと繋がっており、傾斜辺部１５２ｄの外側は側辺部１５２ｃと繋がっている。なお、図２８、図２９において、傾斜辺部１５２ｄと側辺部１５２ｃとは円弧状の接続辺部１５２ｃｄを介して繋がる形態となっているが、この形態に限定されず、傾斜辺部１５２ｄと側辺部１５２ｃとは円弧状の接続辺部１５２ｃｄを介さずに直接繋がっていてもよい。
【００７７】
＜＊＊＊効果の説明＊＊＊＞
光源ユニット１００を器具本体２００に取り付ける際には、配線作業と配線確認作業が行われる。このとき、光源ユニット１００は、器具本体２００の板ばね２３０が光源ユニット１００の連結具１５０に引っ掛けられることによって、器具本体２００に吊り下げられる。図２９の破線の楕円範囲に示すように、長手方向を軸として光源ユニット１００をいずれかの回転方向に回転させると、板ばね２３０が傾斜辺部１５２ｄと当接する角度で光源ユニット１００の回転が規制され、当該角度で光源ユニット１００の姿勢が維持される。つまり、作業者が配線作業または配線確認作業を行う際に、光源ユニット１００の配線部を作業者側に向けた状態で保持することができるため、作業者は、配線作業と配線確認作業を確実に行うことができる。このため、電源電線、送り電線を光源ユニット１００と器具本体２００との間に挟み込んでしまう配線不良、これら電線の接続不良を防ぐことができる。
【００７８】
＜変形例＞
図３０を参照して実施の形態５の別の例を説明する。なお、実施の形態１〜４と同じ構成については、説明を省略する。
図３０に示すように、別の例における連結具１５０は、開口１５２を形成する上辺部１５２ａの両側部に傾斜辺部１５２ｅが形成されている。傾斜辺部１５２ｅの中央側は上辺部１５２ａと繋がっており、傾斜辺部１５２ｅの外側は側辺部１５２ｃと繋がっている。なお、図３０において、傾斜辺部１５２ｅと側辺部１５２ｃとは円弧状の接続辺部１５２ｃｅを介して繋がる形態となっているが、この形態に限定されず、傾斜辺部１５２ｅと側辺部１５２ｃとは円弧状の接続辺部１５２ｃｅを介さずに直接繋がっていてもよい。
【００７９】
＜＊＊＊効果の説明＊＊＊＞
図３０の場合は、光源ユニット１００を器具本体２００に取り付ける際には、配線作業と配線確認作業が行われる。このとき、光源ユニット１００は、器具本体２００の板ばね２３０が光源ユニット１００の連結具１５０に引っ掛けられることによって、器具本体２００に吊り下げられる。図３０の破線の楕円範囲に示すように、長手方向を軸として光源ユニット１００をいずれかの回転方向に回転させると、板ばね２３０が傾斜辺部１５２ｅと当接する角度で光源ユニット１００の回転が規制され、当該角度で光源ユニット１００の姿勢が維持される。つまり、作業者が配線作業または配線確認作業を行う際に、光源ユニット１００の配線部を作業者側に向けた状態で保持することができるため、作業者は、配線作業と配線確認作業を確実に行うことができる。このため、電源電線、送り電線を光源ユニット１００と器具本体２００との間に挟み込んでしまう配線不良、これら電線の接続不良を防ぐことができる。
【００８０】
実施の形態６．
図３１、図３２を参照して実施の形態６を説明する。なお、実施の形態６では、実施の形態１〜５と異なる構成を中心に説明し、実施の形態１〜５と同じ構成については、説明を省略する。図３１は、実施の形態５に係る連結具１５０を説明する図である。図３２は、実施の形態５に係る連結具１５０を用いた光源ユニット１００の作用効果を説明する図である。
【００８１】
図３１（ａ）、（ｃ）の四角範囲に示すように、実施の形態６の連結具１５０は上端部１５１ａの形状が異なる。実施の形態６の連結具１５０の上端部１５１ａは、底面部２１１ａと対向する部分は全体が円弧状の外形となっている。光源ユニット１００が器具本体２００に取り付けられた状態において、上端部１５１ａは短手方向Ｙにおける中央部７０１以外は底面部２１１ａと当接しないで離れている。そして、上端部１５１ａと底面部２１１ａとの間隔は、短手方向Ｙにおける外側に向って徐々に大きくなっている。つまり上端部１５１ａと底面部２１１ａとの間隔は、徐々に拡がっている。上端部１５１ａの外形は円弧状以外の形状であってもよく、複数の直線、または直線と曲線とで構成される形状で外形が形成されてもよい。
【００８２】
＜＊＊＊効果の説明＊＊＊＞
図３２の破線の楕円範囲に示すように、連結具１５０の上端部１５１ａをこのような形状としたことによって、光源ユニット１００を器具本体２００に取り付ける際には、電源電線、送り電線が、短手方向における外側に向って誘導される。つまり、電源電線、送り電線は図３２の矢印７０２，７０３の方向に誘導されるので、上端部１５１ａと底面部２１１ａとの間に電源電線、送り電線を挟み込んでしまう配線不良を防ぐことができる。
【００８３】
なお、以上に説明した実施の形態１〜実施の形態６は、整合性のある範囲で組み合わせることができるのはもちろんである。
【００８４】
実施の形態７．
図３３から図９７を参照して、実施の形態７を説明する。
実施の形態７は、上記の実施の形態で述べた連結具１５０のバリエーションである１７種類の連結具を説明する。
実施の形態７では、連結具１５０のバリエーションの連結具として、連結具１−１から連結具１−１７の１７種類を説明する。
連結具１−１から連結具１−１７のすべてに共通する場合は、連結具１−Ｎのように記載する場合がある。
実施の形態７では、連結具１−Ｎのプレート部１１０の平面部１１１への取付方法と、連結具１−Ｎと板ばね２３０との係合における光源ユニット１００の姿勢維持とを説明する。
以下、図面を用いて連結具１−１から順に説明する。なお、実施の形態７では凹部２１１を収容凹部２１１と記載する。
【００８５】
（取付装置）
また実施の形態７では、取付装置６００を説明する。取付装置６００は、天井のような取付部３００に、器具本体２００と光源ユニット１００とを備えている照明装置１０の器具本体２００が取り付けられている場合に、光源ユニット１００を器具本体２００に取り付けるための装置である。
【００８６】
実施の形態７の取付装置６００には２つのタイプがある。一方のタイプを取付装置６００−３と記す。他方のタイプを取付装置６００−２と記す。取付装置６００−３は、器具側取付部６１０と、ユニット側取付部６２０と、姿勢維持部６５０とを備える。取付装置６００−２は、姿勢維持部６５０を持たないタイプである。
【００８７】
実施の形態７では、器具側取付部６１０は板ばね２３０が該当し、ユニット側取付部６２０は連結具１−Ｎが該当する。また姿勢維持部６５０の役割を有する部品については後述する。器具側取付部６１０とユニット側取付部６２０とは、着脱自在に連結される。
【００８８】
以下の実施の形態７では、連結具１−Ｎのうち、姿勢維持部６５０の機能を有することで取付装置６００−３の構成要素となる連結具は、連結具１−１から１−４、１−７から１−１０、１−１２であり、姿勢維持部６５０の機能を持たないため取付装置６００−２の構成要素となる連結具は、連結具１−５、１−６、１−１１、１−１３から１−１７である。
【００８９】
取付装置６００によって光源ユニット１００が取り付けられる器具本体２００は、光源ユニット取付部である底面部２１１ａを有する。例えば図１４に示すように、光源ユニット１００は、プレート部１１０を有し、プレート部１１０の一方の面である基板取付面部１１１ａの側に光源である発光素子基板１２０が配置され、基板取付面部１１１ａの裏側である電源取付面部１１１ｂが底面部２１１ａと対向した状態で底面部２１１ａに着脱自在に取り付けられる。
【００９０】
（連結具１−１）
図３３は連結具１−１の斜視図である。図３４は連結具１−１の別の斜視図である。図３５は連結具１−１の正面図であり、Ａ方向からみた図である。図３６は連結具１−１を平面部１１１に取り付けた状態を示す、模式的な断面図である。
【００９１】
（連結具１−１の構成）
連結具１−１は、板ばね２３０が挿入されるバネ挿入部１０ａ、第１固定板部２０ａ、第２固定板部３０ａを備えている。バネ挿入部１０ａは、開口１５ａが形成された開口形成部１１ａ、一対の側部１２ａ、上端部１３ａを備えている。第１固定板部２０ａは、固定用孔２１ａ−３が形成されている。第２固定板部３０ａは、ねじ受孔３１ａ−３が形成されている。
【００９２】
（平面部１１１の構成）
平面部１１１には、基板取付面部１１１ａから電源取付面部１１１ｂの方向へ突き出た一対の突出部１１４と、ねじ孔１１３とが形成されている。
【００９３】
（取付け状態）
図３６に示すように、突出部１１４は、固定用孔２１ａ−３を突き抜けて、カシメ加工されて連結具１−１を平面部１１１へ固定する。また、図３６に示すように、ねじ１１９が、平面部１１１に第２固定板部３０ａを固定する。
【００９４】
連結具１−１には以下の（１）から（４）の特徴がある。
【００９５】
（一箇所で固定）
（１）連結具１−１は、一箇所に配置された固定手段で平面部１１１に固定可能である。つまり、図３３等では、ねじ１１９と突出部１１４によって連結具１−１を平面部１１１に固定しているが、ねじ１１９のみ一箇所で、連結具１−１を平面部１１１に固定してもよい。この場合、作業工程が少なくなる効果がある。
【００９６】
（２種類の固定手段）
（２）図３３等で説明したように、連結具１−１は、ねじ１１９と突出部１１４という２種類の固定手段によって平面部１１１に固定可能である。よって、光源ユニット１００の重量に応じて固定手段を追加できるので、多様な光源ユニット１００に適用可能となる効果がある。
【００９７】
（開口の閉塞）
（３）また、図３６に示すように、ねじ孔１１３はねじ１１９で塞がれている。つまり、連結具１−１の平面部１１１への取り付けに伴って形成された開口は塞がれるので、開口からごみや虫がカバー１３０の内部に入ることを防止できる効果がある。
【００９８】
（光源ユニットの姿勢維持）
（４）図３７は、器具本体２００に対して光源ユニット１００を、図２９（ａ）の状態で維持することを示す模式的な図である。連結具１−１の開口１５ａは、後述する連結具１−２の開口１５ｂ−１のように、光源ユニット１００の姿勢を維持することはできない形状である。このため、光源ユニット１００の姿勢を維持できるようにするため、連結具１−１は、維持補助部２２ａを有している。維持補助部２２ａと、開口１５ａとによって、連結具１−１は、図２９（ａ）の状態で、光源ユニット１００を器具本体２００に対して、後述する連結具１−２のように姿勢を維持できる。つまり、図３７の場合、板ばね２３０は、開口１５ａと維持補助部２２ａとに引っ掛かることで光源ユニット１００の図２９（ａ）の状態で姿勢が維持される。維持補助部２２ａは、光源ユニット１００の姿勢維持を補助する機能を有する。連結具１−１は維持補助部２２ａとともに、図３７に示すように、光源ユニット１００と器具本体２００とが離隔している状態で、光源ユニット１００のプレート部１１０の長手方向に沿う２つの側辺のうち一方の側辺１１１−１が他方の側辺１１１−２よりも収容凹部２１１の底をなす底面部２１１ａに対して近い位置に存在するように、光源ユニット１００の姿勢を維持する。このため、図３７の場合は、図２９（ａ）の状態で作業者が光源ユニット１００から手を離しても図２９（ａ）の状態が維持される。このため、光源ユニット１００の短手方向の一方の端が下がった状態であるので、作業者は、連結具１−２が配置された側の電源取付面部１１１ｂが見やすくなる。よって、作業は、電源取付面部１１１ｂが見やすい状態で、両手を用いて、電源取付面部１１１ｂの側の配線作業を行うことができる効果がある。以上の光源ユニットの姿勢維持については、後述の連結具１−２は維持補助部２２ａを必要とすることなく、連結具１−１と同様の効果を有する。
【００９９】
連結具１−１は取付装置６００−３の構成要素である。取付装置６００−３は、器具側取付部６１０と、ユニット側取付部６２０と、姿勢維持部６５０を備えている。連結具１−１に関しては、連結具１−１がユニット側取付部６２０に該当する。器具側取付部６１０は、板ばね２３０が該当する。姿勢維持部６５０は、連結具１−１の開口１５ａと維持補助部２２ａとによって構成されている。器具側取付部６１０である板ばね２３０は器具本体２００に固定されている。ユニット側取付部６２０である連結具１−１は、板ばね２３０と対をなすように光源ユニット１００に固定され、板ばね２３０と連結される。また図３７に示すように、連結具１−１の開口１５ａと維持補助部２２ａとによって構成される姿勢維持部６５０は、板ばね２３０と連結具１−１とが連結され、且つ、光源ユニット１００が器具本体２００に取り付けられていない状態で、プレート部１１０の電源取付面部１１１ｂが底面部２１１ａと対向しない状態で、光源ユニット１００の姿勢を維持する。姿勢維持部６５０により上記で述べた配線作業の容易化の効果が得られる。
【０１００】
連結具１−１の場合は維持補助部２２ａと連結具１−１の開口１５ａとで姿勢維持部６５０を構成したが、姿勢維持部６５０は、少なくとも、後述する第１の固定部６４１と後述する第２の固定部６４２とのいずれかと、ユニット側取付部６２０とによって形成されてもよい。
【０１０１】
（連結具１−２）
図３８は連結具１−２の斜視図である。図３９は連結具１−２の別の斜視図である。図４０は連結具１−２の正面図であり、Ａ方向からみた図である。図４１は連結具１−２を平面部１１１に取り付けた状態を示す、模式的な断面図である。
【０１０２】
（連結具１−２の構成）
連結具１−２は、板ばね２３０が挿入されるバネ挿入部１０ｂ、第１固定板部２０ｂ、第２固定板部３０ｂを備えている。バネ挿入部１０ｂは、開口１５ｂ−１が形成された開口形成部１１ｂ、一対の側部１２ｂ、上端部１３ｂを備えている。第１固定板部２０ｂは、ねじ受孔２１ｂ−２が形成されている。第２固定板部３０ｂは、接続部２２ｂによって第１固定板部２０ｂに接続しており、固定用孔３１ｂ−３が形成されている。
【０１０３】
（平面部１１１の構成）
平面部１１１には、基板取付面部１１１ａから電源取付面部１１１ｂの方向へ突き出た一対の突出部１１４と、ねじの貫通孔１１５Ａが開けられたねじ用凸部１１５とが形成されている。ねじ用凸部１１５は、凸形状部である。
【０１０４】
（取付け状態）
図４１に示すように、突出部１１４は、固定用孔３１ｂ−３を突き抜けて、カシメ加工されて連結具１−２を平面部１１１へ固定する。また、図４１に示すように、ねじ１１９が、ねじ用凸部１１５に第１固定板部２０ｂを固定する。
【０１０５】
連結具１−２には、以下の（１）から（５）の特徴がある。
【０１０６】
（一箇所で固定）
（１）連結具１−２は、一箇所に配置された固定手段で平面部１１１に固定可能である。つまり、図３８等では、ねじ１１９と突出部１１４によって連結具１−２を平面部１１１に固定しているが、ねじ１１９のみ一箇所で、連結具１−２を平面部１１１に固定してもよい。
図４１に示すように、連結具１−２は、発光素子基板１２０との間にプレート部１１０を挟むようにしてプレート部１１０に固定されている。第１の固定部６４１であるねじ１１９は、電源取付面部１１１ｂと基板取付面部１１１ａとを貫通している状態で、連結具１−２をプレート部１１０に固定しており、ねじ１１９のみで連結具１−２をプレート部１１０に固定してもよい。つまり、突出部１１４を用いることなく、一箇所に配置される一つの固定部６３０であるねじ１１９によって、連結具１−２は、プレート部１１０に固定されてもよい。連結具１−２は、凸形状部であるねじ用凸部１１５を介して、一つの固定部６３０であるねじ１１９によってプレート部１１０に固定される。この場合、作業工程が少なくなる効果がある。
なお、絞り形状のねじ用凸部１１５は、貫通孔１１５Ａ以外は完全に閉塞している。よって、連結具１−２をプレート部１１０にねじ１１９で固定した後に発光素子基板１２０を平面部１１１に接着部材で貼合する場合、接着部材がねじ用凸部１１５に捕捉され、平面部１１１の電源取付面部１１１ｂの側に漏れ出すことがない。また、ねじ用凸部１１５に捕捉された接着部材によって、ねじ１１９の先端が固定されるため、ねじ１１９が緩んだり外れたりするリスクが小さくなる。
【０１０７】
（発光素子基板側へ突き出しなし）
（２）また、図４１に示すように、連結具１−２が平面部１１１に固定されることに関して、電源取付面部１１１ｂよりも下方、つまり、基板取付面部１１１ａよりも、発光素子基板１２０の側へ突き出るものがない。
図４１に示すように、発光素子基板１２０は基板取付面部１１１ａに配置されており、第１の固定部６４１であるねじ１１９と第２の固定部６４２である突出部１１４とは、基板取付面部１１１ａの裏面である電源取付面部１１１ｂから基板取付面部１１１ａに向かう方向において、基板取付面部１１１ａよりも突出しない。
具体的には、ねじ１１９は、基板取付面部１１１ａと電源取付面部１１１ｂとを貫通するように形成された貫通孔１１５Ａを貫通し、先端１１９Ａが基板取付面部１１１ａの位置に配置された状態あるいは基板取付面部１１１ａの位置よりも電源取付面部１１１ｂの側に配置された状態で、連結具１−２をプレート部１１０に固定する。よって、発光素子基板１２０の位置によらず、連結具１−２を自由に平面部１１１に配置できる効果がある。
なお図３８、図４１に示すように、プレート部１１０は、基板取付面部１１１ａから電源取付面部１１１ｂの方向へ凹む形状で電源取付面部１１１ｂへ凸形状に突き出ており貫通孔１１５Ａが形成された凸形状部であるねじ用凸部１１５を有している。なお、貫通孔１１５Ａは、閉塞されている。図４１に示すように、例えば貫通孔１１５Ａは、ねじ１１９の軸で閉塞される。
【０１０８】
（２種類の固定手段）
（３）図３８等で説明したように、連結具１−２は、第１の固定部６４１であるねじ１１９と、第２の固定部６４２である突出部１１４という２種類の固定手段によって平面部１１１に固定可能である。よって、光源ユニット１００の重量に応じて固定手段を追加できるので、多様な光源ユニット１００に適用可能となる効果がある。
後述のように連結具１−２は取付装置６００−３の構成要素であるが、連結具１−２はユニット側取付部６２０に相当する。ユニット側取付部６２０である連結具１−２は、プレート部１１０に、上記のように、第１の固定部６４１と、第１の固定部６４１と種類の異なる第２の固定部６４２とによって、固定されている。
【０１０９】
（開口の閉塞）
（４）また、図４１に示すように、ねじ用凸部１１５の貫通孔１１５Ａはねじ１１９で塞がれている。つまり、連結具１−２の平面部１１１への取り付けに伴って形成された開口は塞がれるので、開口からごみや虫がカバー１３０の内部に入ることを防止できる効果がある。
【０１１０】
（光源ユニットの姿勢維持）
（５）図４２は、器具本体に対して光源ユニット１００を、図２９（ａ）の状態で維持することを示す図である。連結具１−２の開口１５ｂ−１は、図２９（ａ）の状態で、光源ユニット１００を器具本体２００に対して、姿勢を維持することができる。つまり、図４２の場合、開口１５ｂ−１の形状は、板ばね２３０が開口１５ｂ−１の縁に引っ掛かる形状となっている。このため、図４２の場合は、図２９（ａ）の状態で作業者が光源ユニット１００から手を離しても図２９（ａ）の状態が維持される。このため、光源ユニット１００の短手方向の一方の端が下がった状態であるので、作業者は、連結具１−２が配置された側の電源取付面部１１１ｂが見やすくなる。よって、作業は、電源取付面部１１１ｂが見やすい状態で、両手を用いて、電源取付面部１１１ｂの側の配線作業を行うことができる効果がある。
【０１１１】
連結具１−２は取付装置６００−３の構成要素である。連結具１−２に関しては、連結具１−２がユニット側取付部６２０に該当し、器具側取付部６１０は、板ばね２３０が該当する。姿勢維持部６５０は、連結具１−２の開口１５ｂ−１が該当する。
【０１１２】
図１４の（ａ）に示すように、ユニット側取付部６２０である連結具１−Ｎは、器具本体２００の底面部２１１ａと、プレート部１１０との間に配置されている。
また、連結具１−Ｎは、器具側取付部６１０である板ばね２３０とプレート部１１０との間に配置されている。
また、連結具１−Ｎは、器具本体２００とプレート部１１０との間に配置されている。
【０１１３】
（連結具１−３）
図４３は連結具１−３の斜視図である。図４４は連結具１−３の別の斜視図である。図４５は連結具１−３の正面図であり、Ａ方向からみた図である。図４６は連結具１−３を平面部１１１に取り付けた状態を示す、模式的な側面図である。
【０１１４】
（連結具１−３の構成）
連結具１−３は、板ばね２３０が挿入されるバネ挿入部１０ｃ、第１固定板部２０ｃ、第２固定板部３０ｃを備えている。バネ挿入部１０ｃは、開口１５ｃ−１が形成された開口形成部１１ｃ、一対の側部１２ｃ、上端部１３ｃを備えている。第１固定板部２０ｃは、挿込部２１ｃ−４が形成されている。第２固定板部３０ｃは、接続部２２ｃによって第１固定板部２０ｃに接続しており、ねじ受孔３１ｃ−２が形成されている。
【０１１５】
（平面部１１１の構成）
平面部１１１には、基板取付面部１１１ａから電源取付面部１１１ｂの方向へ切り起こされた一対の起立部１１６と、ねじの貫通孔１１５Ａが開けられたねじ用凸部１１５とが形成されている。
【０１１６】
（取付け状態）
図４６に示すように、ねじ１１９が、ねじ用凸部１１５に第２固定板部３０ｃを固定する。また、挿込部２１ｃ−４が一対の起立部１１６どうしの間に挿し込まれている。図４３、図４６に示すように、挿込部２１ｃ−４の先端は、起立部１１６から出でいる。
【０１１７】
連結具１−３には、以下の（１）から（５）の特徴がある。
【０１１８】
（一箇所で固定）
（１）連結具１−３は、一箇所に配置された固定手段で平面部１１１に固定可能である。つまり、図４３等では、ねじ１１９と挿込部２１ｃ−４とによって連結具１−３を平面部１１１に固定しているが、ねじ１１９のみ一箇所で、連結具１−３を平面部１１１に固定してもよい。この場合、作業工程が少なくなる効果がある。
【０１１９】
（発光素子基板側への突き出しなし）
（２）また、図４６に示すように連結具１−３が平面部１１１に固定されることに関して、電源取付面部１１１ｂよりも下方、つまり、基板取付面部１１１ａよりも、発光素子基板１２０の側へ突き出るものがない。よって、発光素子基板１２０の位置によらず、連結具１−３を自由に平面部１１１に配置できる効果がある。
【０１２０】
（２種類の固定手段）
（３）図４３等で説明したように、連結具１−３は、ねじ１１９と挿込部２１ｃ−４という２種類の固定手段によって平面部１１１に固定可能である。よって、光源ユニット１００の重量に応じて固定手段を追加できるので、多様な光源ユニット１００に適用可能となる効果がある。
挿込部２１ｃ−４と一対の起立部１１６とはスライド構造を構成する。スライド構造は、スライド方向と交差する方向、つまり挿込部２１ｃ−４が挿し込まれる方向と直交する方向に対して移動を規制する機能を有する。スライド構造は、特定の方向に対する移動を規制し得る固定である。スライド構造の効果として、照明装置１０を長期間使用した後に、ねじ固定あるいはかしめ固定の固定手段に構造疲労が発生した場合でもスライド構造のサポートを加えることにより、光源ユニットの脱落を防ぐことができる。
【０１２１】
（開口の閉塞）
（４）また、図４６に示すように、ねじ用凸部１１５の貫通孔１１５Ａはねじ１１９で塞がれている。さらに、起立部１１６の形成にともなってできた開口１１８は挿込部２１ｃ−４で塞がれる。つまり、連結具１−３の平面部１１１への取り付けに伴って形成された開口は塞がれるので、開口からごみや虫がカバー１３０の内部に入ることを防止できる効果がある。
【０１２２】
（光源ユニットの姿勢維持）
（５）また、連結具１−３の開口１５ｃ−１は、連結具１−２の開口１５ｂ−１と同様の形状であり、連結具１−３も開口１５ｃ−１の縁によって、光源ユニット１００の姿勢を図２９（ａ）の状態に維持できる。
【０１２３】
（連結具１−４）
図４７は連結具１−４の斜視図である。図４８は連結具１−４の別の斜視図である。図４９は連結具１−４の正面図であり、Ａ方向からみた図である。図５０は連結具１−４を平面部１１１に取り付けた状態を示す、模式的な断面図である。
【０１２４】
（連結具１−４の構成）
連結具１−４は、板ばね２３０が挿入されるバネ挿入部１０ｄ、第１固定板部２０ｄを備えている。バネ挿入部１０ｄは、開口１５ｄが形成された開口形成部１１ｄ、一対の側部１２ｄ、上端部１３ｄを備えている。第１固定板部２０ｄは、ねじ受孔２１ｄ−２と、一対の挿込部２２ｄ−４と形成されている。一対の挿込部２２ｄ−４は、第１固定板部２０ｄから起立し、先端が平面部１１１に対向するように曲がっているＬ字形状である。
【０１２５】
（平面部１１１の構成）
平面部１１１には、基板取付面部１１１ａから電源取付面部１１１ｂの方向へ切り起こされたブリッジ部１１７が形成されている。ブリッジ部１１７には、ねじ孔１１７Ａと、挿込部２２ｄ−４が通る切り欠き部１１７Ｂが形成されている。
【０１２６】
（取付け状態）
図５０は、Ａ方向からみた断面に相当する。図５０に示すように、一対の挿込部２２ｄ−４は、平面部１１１の面上に載っている状態である。ねじ１１９は、第１固定板２０ｄをブリッジ部１１７に固定する。
【０１２７】
連結具１−４には、以下の（１）から（３）の特徴がある。
【０１２８】
（一箇所で固定）
（１）連結具１−４は、一箇所に配置された固定手段で平面部１１１に固定されている。つまり、一箇所のねじ１１９により、第１固定板２０ｄがブリッジ部１１７に固定されている。よって、簡易な構成で連結具１−４を平面部１１１に固定できる効果がある。
なお、ブリッジ部１１７の形成により平面部１１１に形成される開口１１７Ｃ（図４７）は、平面部１１１の長手方向Ｘの中心線１１１ｄ（図４）上に位置する。中心線１１１ｄは平面部１１１の短手方向Ｙの中央を通る基準線である。中心線１１１ｄ上には発光素子基板１２０が配置される。よって開口１１７Ｃをテープで塞がなくても、発光素子基板１２０を基板取付面部１１１ａに貼り付けることで完全に開口１１７Ｃを塞ぐことができる。
【０１２９】
（発光素子基板側への突出しない）
（２）また、図５０に示すように、連結具１−４が平面部１１１に固定されることに関して、電源取付面部１１１ｂよりも下方、つまり、基板取付面部１１１ａよりも、発光素子基板１２０の側へ突き出るものがない。よって、発光素子基板１２０の位置によらず、連結具１−４を自由に平面部１１１に配置できる効果がある。
【０１３０】
（光源ユニットの姿勢維持）
（３）なお、連結具１−４の開口１５ｄは、連結具１−１の開口１５ａと同様の形状である。連結具１−４も連結具１−１と同様に、維持補助部を設けることで、光源ユニット１００の姿勢を図２９（ａ）の状態に維持できる。
【０１３１】
（連結具１−５）
図５１は連結具１−５の斜視図である。図５２は連結具１−５の別の斜視図である。図５３は連結具１−５の正面図であり、Ａ方向からみた図である。図５４は連結具１−５を平面部１１１に取り付けた状態を示す、模式的な断面図であり、図５のＡ−Ａに相当する。
【０１３２】
（連結具１−５の構成）
連結具１−５は、板ばね２３０が挿入されるバネ挿入部１０ｅ、第１固定板部２０ｅ、第２固定板部３０ｅを備えている。バネ挿入部１０ｅは、開口１５ｅが形成された開口形成部１１ｅ、一対の側部１２ｅ、上端部１３ｅを備えている。第１固定板部２０ｅは、ねじ受孔２１ｅ−２が形成されている。第２固定板部３０ｅは、接続部２２ｅによって第１固定板部２０ｅに接続しており、ねじ受孔３１ｅ−３が形成されている。
【０１３３】
（平面部１１１の構成）
平面部１１１には、基板取付面部１１１ａから電源取付面部１１１ｂの方向へ切り起こされた一対の起立部１１６と、ねじの貫通孔１１５Ａが開けられたねじ用凸部１１５とが形成されている。
【０１３４】
（取付け状態）
図５４に示すように、ねじ１１９が、ねじ用凸部１１５に第１固定板部２０ｅを固定する。また、挿込部３１ｅ−４が一対の起立部１１６どうしの間に挿し込まれている。
【０１３５】
連結具１−５には、以下の（１）から（４）の特徴がある。
【０１３６】
（一箇所で固定）
（１）連結具１−５は、一箇所に配置された固定手段で平面部１１１に固定可能である。つまり、図５１等では、ねじ１１９と挿込部３１ｅ−４とによって連結具１−５を平面部１１１に固定しているが、ねじ１１９のみ一箇所で、連結具１−５を平面部１１１に固定してもよい。この場合、作業工程が少なくなる効果がある。
【０１３７】
（発光素子基板側への突き出しなし）
（２）また、図５４に示すように、連結具１−５が平面部１１１に固定されることに関して、電源取付面部１１１ｂよりも下方、つまり、基板取付面部１１１ａよりも、発光素子基板１２０の側へ突き出るものがない。よって、発光素子基板１２０の位置によらず、連結具１−５を自由に平面部１１１に配置できる効果がある。
【０１３８】
（２種類の固定手段）
（３）図５１等で説明したように、連結具１−５は、ねじ１１９と挿込部３１ｅ−４という２種類の固定手段によって平面部１１１に固定可能である。よって、光源ユニット１００の重量に応じて固定手段を追加できるので、多様な光源ユニット１００に適用可能となる効果がある。
【０１３９】
（開口の閉塞）
（４）また、図５１、図５４に示すように、ねじ用凸部１１５の貫通孔１１５Ａはねじ１１９で塞がれている。さらに、起立部１１６の形成にともなってできた開口１１８も挿込部３１ｅ−４で塞がれる。つまり、連結具１−５の平面部１１１への取り付けに伴って形成された開口は塞がれるので、開口からごみや虫がカバー１３０の内部に入ることを防止できる効果がある。
【０１４０】
（連結具１−６）
図５５は連結具１−６の斜視図である。図５６は連結具１−６の別の斜視図である。図５７は連結具１−６の正面図であり、Ａ方向からみた図である。図５８は連結具１−６を平面部１１１に取り付けた状態を示す、模式的な断面図である。
【０１４１】
（連結具１−６の構成）
連結具１−６は、板ばね２３０が挿入されるバネ挿入部１０ｆ、第１固定板部２０ｆ、第２固定板部３０ｆを備えている。バネ挿入部１０ｆは、開口１５ｆが形成された開口形成部１１ｆ、一対の側部１２ｆ、上端部１３ｆを備えている。第１固定板部２０ｆには、一対の挿込部２１ｆ−４が形成されている。第２固定板部３０ｆには、ねじ受孔３１ｆ−２が形成されている。
【０１４２】
（平面部１１１の構成）
平面部１１１には、基板取付面部１１１ａから電源取付面部１１１ｂの方向へ切り起こされたブリッジ部１１７が形成されている。ブリッジ部１１７には、ねじ孔１１７Ａと、挿込部２１ｆ−４が通る切り欠き部１１７Ｂが形成されている。
【０１４３】
（取付け状態）
一対の挿込部２２ｆ−４の先端が、一対の切り欠き部１１７Ｂを通って、ブリッジ部１１７の下に入る。図５８に示すように、ねじ１１９は、第２固定板３０ｆをブリッジ部１１７に固定する。
【０１４４】
連結具１−６には、以下の（１）、（２）の特徴がある。
【０１４５】
（一箇所で固定）
（１）連結具１−６は、一箇所に配置された固定手段で平面部１１１に固定可能である。つまり、一箇所のねじ１１９により、第１固定板２０ｆをブリッジ部１１７に固定する。よって、簡易な構成で連結具１−６を平面部１１１に固定できる効果がある。
【０１４６】
（発光素子基板側への突出しなし）
（２）また、図５８に示すように、連結具１−６が平面部１１１に固定されることに関して、電源取付面部１１１ｂよりも下方、つまり、基板取付面部１１１ａよりも、発光素子基板１２０の側へ突き出るものがない。よって、発光素子基板１２０の位置によらず、連結具１−６を自由に平面部１１１に配置できる効果がある。
【０１４７】
（連結具１−７）
図５９は連結具１−７の斜視図である。図６０は連結具１−７の別の斜視図である。図６１は連結具１−７の正面図であり、Ａ方向からみた図である。図６２は連結具１−７を平面部１１１に取り付けた状態を示す、模式的な断面図である。
【０１４８】
（連結具１−７の構成）
連結具１−７は、板ばね２３０が挿入されるバネ挿入部１０ｇ、第１固定板部２０ｇ、第２固定板部３０ｇを備えている。バネ挿入部１０ｇは、開口１５ｇ−１が形成された開口形成部１１ｇ、一対の側部１２ｇ、上端部１３ｇを備えている。第１固定板部２０ｇは、ねじ受孔２１ｇ−２が形成されている。第２固定板部３０ｇは、接続部２２ｇによって第１固定板部２０ｇに接続しており、挿込部３１ｇ−４が形成されている。また、第１固定板部２０ｇから第２固定板部３０ｇにわたる開口３２ｇが形成されている。
【０１４９】
（平面部１１１の構成）
平面部１１１には、基板取付面部１１１ａから電源取付面部１１１ｂの方向へ切り起こされた一対の起立部１１６と、ねじの貫通孔１１５Ａが開けられたねじ用凸部１１５とが形成されている。
【０１５０】
（取付け状態）
図６２に示すように、ねじ１１９が、ねじ用凸部１１５に第１固定板部２０ｇを固定する。また、挿込部３１ｇ−４が一対の起立部１１６どうしの間に挿し込まれている。図５９、図６２に示すように、挿込部３１ｇ−４の先端は、起立部１１６から出でいる。
【０１５１】
連結具１−７には、以下の（１）から（５）の特徴がある。
【０１５２】
（一箇所で固定）
（１）連結具１−７は、一箇所に配置された固定手段で平面部１１１に固定可能である。つまり、図５９等では、ねじ１１９と挿込部３１ｇ−４とによって連結具１−７を平面部１１１に固定しているが、ねじ１１９のみ一箇所で、連結具１−７を平面部１１１に固定してもよい。この場合、作業工程が少なくなる効果がある。
【０１５３】
（発光素子基板側への突出しなし）
（２）また、図６２に示すように連結具１−７が平面部１１１に固定されることに関して、電源取付面部１１１ｂよりも下方、つまり、基板取付面部１１１ａよりも、発光素子基板１２０の側へ突き出るものがない。よって、発光素子基板１２０の位置によらず、連結具１−７を自由に平面部１１１に配置できる効果がある。
【０１５４】
（２種類の固定手段）
（３）図５９等で説明したように、連結具１−７は、ねじ１１９と挿込部３１ｇ−４という２種類の固定手段によって平面部１１１に固定可能である。よって、光源ユニット１００の重量に応じて固定手段を追加できるので、多様な光源ユニット１００に適用可能となる効果がある。
【０１５５】
（開口の閉塞）
（４）また、図６２に示すように、ねじ用凸部１１５の貫通孔１１５Ａはねじ１１９で塞がれている。さらに、起立部１１６の形成にともなってできた開口１１８は挿込部３１ｇ−４で塞がれる。つまり、連結具１−７の平面部１１１への取り付けに伴って形成された開口は塞がれるので、開口からごみや虫がカバー１３０の内部に入ることを防止できる効果がある。
【０１５６】
（光源ユニットの姿勢維持）
（５）また、連結具１−７の開口１５ｇ−１は、連結具１−２の開口１５ｂ−１と同様の形状であり、連結具１−７も開口１５ｇ−１の縁によって、光源ユニット１００の姿勢を図２９（ａ）の状態に維持できる。
【０１５７】
（連結具１−８）
図６３は連結具１−８の斜視図である。図６４は連結具１−８の別の斜視図である。図６５は連結具１−８の正面図であり、Ａ方向からみた図である。
【０１５８】
連結具１−８は、連結具１−７に対して、連結具１−１で説明した維持補助部２２ａを取り付ける孔２２ｈが形成されている点が異なる。連結具１−８の開口１５ｈ−１は、連結具１−２の開口１５ｂ−１と同様の形状であり、連結具１−８も開口１５ｇ−１の縁によって、光源ユニット１００の姿勢を図２９（ａ）の状態に維持できる。しかし、さらに、維持補助部２２ａを追加することで、光源ユニット１００の姿勢を維持する確実性が向上する効果がある。
【０１５９】
（連結具１−９）
図６６は連結具１−９の斜視図である。図６７は連結具１−９の別の斜視図である。
図６８は連結具１−９の正面図であり、Ａ方向からみた図である。
【０１６０】
連結具１−９は、連結具１−７と類似な構成である。連結具１−９は、連結具１−７に対して、挿込部３１ｉ−４の挿し込み方向が反対方向になる点が異なる。
【０１６１】
（連結具１−９の構成）
連結具１−９は、板ばね２３０が挿入されるバネ挿入部１０ｉ、第１固定板部２０ｉ、第２固定板部３０ｉを備えている。バネ挿入部１０ｉは、開口１５ｉが形成された開口形成部１１ｉ、一対の側部１２ｉ、上端部１３ｉを備えている。第１固定板部２０ｉは、ねじ受孔２１ｉ−２が形成されている。第２固定板部３０ｉは、接続部２２ｉによって第１固定板部２０ｉに接続しており、挿込部３１ｉ−４が形成されている。また、第１固定板部２０ｉから第２固定板部３０ｉにわたる開口３２ｉが形成されている。
【０１６２】
（平面部１１１の構成）
平面部１１１の構成は、連結具１−７の場合と同じである。
【０１６３】
（取付け状態）
連結具１−９は、平面部１１１への取り付け状態は連結具１−７と同じであり、特徴及び効果も連結具１−７と同じである。
【０１６４】
（連結具１−１０）
図６９は連結具１−１０の斜視図である。図７０は連結具１−１０の別の斜視図である。図７１は連結具１−１０の正面図であり、Ａ方向からみた図である。
【０１６５】
連結具１−１０は、連結具１−７と類似な構成である。連結具１−１０は、連結具１−７に対して、第１固定板部２０ｋに、一対の支持部２４ｋ−４を備える点が異なる。一対の支持部２４ｋ−４は、挿込部３１ｋ−４を一対の起立部１１６の挿し込む際のガイドになるので、安定して挿し込める効果がある。
【０１６６】
その他の構成及び効果は連結具１−７と同じである。
【０１６７】
（連結具１−１１）
図７２は連結具１−１１の斜視図である。図７３は連結具１−１１の別の斜視図である。図７４は連結具１−１１の正面図であり、Ａ方向からみた図である。図７５は連結具１−１１を平面部１１１に取り付けた状態を示す、模式的な断面図である。
【０１６８】
（連結具１−１１の構成）
連結具１−１１は、板ばね２３０が挿入されるバネ挿入部１０ｍ、第１固定板部２０ｍを備えている。バネ挿入部１０ｍは、開口１５ｍが形成された開口形成部１１ｍ、一対の側部１２ｍ、上端部１３ｍを備えている。第１固定板部２０ｍは、長孔形状の位置決め用孔２１ｍ−３と、挿込部２２ｍ−４が形成されている。
【０１６９】
（平面部１１１の構成）
平面部１１１には、基板取付面部１１１ａから電源取付面部１１１ｂの方向へ切り起こされた一対の起立部１１６と、位置決め用突起部１１４Ａとが形成されている。
【０１７０】
（取付け状態）
図７２に示すように、挿込部２２ｍ−４が一対の起立部１１６に挿し込まれる。図７５に示すように、位置決め用突起部１１４Ａが位置決め用孔２１ｍ−３の端に当たり、位置決めされる。また、連結具１−１１では、第１の固定部２０ｍに、平面部１１１がカシメ加工で固定される。
【０１７１】
連結具１−１１には、以下の（１）から（３）の特徴がある。
【０１７２】
（発光素子基板側への突出しなし）
（１）図７５に示すように、連結具１−１１が平面部１１１に固定されることに関して、電源取付面部１１１ｂよりも下方、つまり、基板取付面部１１１ａよりも、発光素子基板１２０の側へ突き出るものがない。よって、発光素子基板１２０の位置によらず、連結具１−１１を自由に平面部１１１に配置できる効果がある。
【０１７３】
（２種類の固定手段）
（２）図７２等で説明したように、連結具１−１１は、カシメ加工と挿込部２２ｍ−４という２種類の固定手段によって平面部１１１に固定可能である。よって、光源ユニット１００の重量に応じて固定手段を追加できるので、多様な光源ユニット１００に適用可能となる効果がある。
【０１７４】
（開口の閉塞）
（３）また、挿込部２２ｍ−４が一対の起立部１１６に挿し込まれた際には、起立部１１６の形成にともない形成された開口１１８を、挿込部２２ｍ−４が塞ぐ。つまり、連結具１−１１の平面部１１１への取り付けに伴って形成された開口は塞がれるので、開口からごみや虫がカバー１３０の内部に入ることを防止できる効果がある。
【０１７５】
（連結具１−１２）
図７６は連結具１−１２の斜視図である。図７７は連結具１−１２の別の斜視図である。図７８は連結具１−１２の正面図であり、Ａ方向からみた図である。
【０１７６】
連結具１−１２では、開口１５ｎ−１の形状が連結具１−１１と異なる以外は連結具１−１１と同じ構成である。開口１５ｎ−１の形状が連結具１−２の開口１５ｂ−１と同じ形状であるので、連結具１−１２も、開口１５ｎ−１の縁によって、光源ユニット１００の姿勢を図２９（ａ）の状態に維持できる。
【０１７７】
（連結具１−１３）
図７９は連結具１−１３の斜視図である。図８０は連結具１−１３の別の斜視図である。図８１は連結具１−１３の正面図であり、Ａ方向からみた図である。図８２は連結具１−１３を平面部１１１に取り付けた状態を示す、模式的な断面図である。
【０１７８】
（連結具１−１３の構成）
連結具１−１３は、板ばね２３０が挿入されるバネ挿入部１０ｐ、第１固定板部２０ｐを備えている。バネ挿入部１０ｐは、開口１５ｐが形成された開口形成部１１ｐ、一対の側部１２ｐ、上端部１３ｐを備えている。第１固定板部２０ｐには、挿込部２１ｐ−４が形成されており、挿込部２１ｐ−４にはアーチ形状に切り起こされた一対のしぼり部２２ｐ−３が形成されている。また第１固定板部２０ｐには、一対の側部２３ｐが形成されている。
【０１７９】
（平面部１１１の構成）
平面部１１１には、基板取付面部１１１ａから電源取付面部１１１ｂの方向へ切り起こされた一対の起立部１１６と、係合用突起部１１４Ｂとが形成されている。
【０１８０】
（取付け状態）
図７９に示すように、挿込部２１ｐ−４が一対の起立部１１６に挿し込まれる。その際、一対の係合用突起部１１４Ｂが、対応するしぼり部２２ｐ−３と係合する。挿込部２１ｐ−４は起立部１１６に挿し込まれた状態でカシメ加工される。カシメ位置は一対の起立部１１６の間にある。
【０１８１】
連結具１−１３には、以下の（１）から（４）の特徴がある。
【０１８２】
（一箇所で固定）
（１）連結具１−１３は、一箇所に配置された固定手段で平面部１１１に固定可能である。つまり、図７９等では、カシメ加工と、挿込部２１ｐ−４及び絞り部２２ｐ−３とによって、連結具１−１３は平面部１１１に固定している。しかしカシメ加工のみで、連結具１−１３を平面部１１１に固定してもよい。この場合、作業工程が少なくなる効果がある。
【０１８３】
（発光素子基板側への突出しなし）
（２）また、図８２に示すように、連結具１−１３が平面部１１１に固定されることに関して、電源取付面部１１１ｂよりも下方、つまり、基板取付面部１１１ａよりも、発光素子基板１２０の側へ突き出るものがない。よって、発光素子基板１２０の位置によらず、連結具１−１３を自由に平面部１１１に配置できる効果がある。
【０１８４】
（２種類の固定手段）
（３）図７９等で説明したように、連結具１−１３は、カシメ加工と、絞り部２２ｐ−３との２種類の固定手段によって平面部１１１に固定可能である。よって、光源ユニット１００の重量に応じて固定手段を追加できるので、多様な光源ユニット１００に適用可能となる効果がある。
【０１８５】
（開口の閉塞）
（４）また、図８２に示すように、起立部１１６の形成にともなってできた開口１１８は挿込部２１ｐ−４で塞がれる。つまり、連結具１−１３の平面部１１１への取り付けに伴って形成された開口は塞がれるので、開口からごみや虫がカバー１３０の内部に入ることを防止できる効果がある。
【０１８６】
（連結具１−１４）
図８３は連結具１−１４の斜視図である。図８４は連結具１−１４の別の斜視図である。図８５は連結具１−１４の正面図であり、Ａ方向からみた図である。図８６は連結具１−１４を平面部１１１に取り付けた状態を示す、模式的な断面図である。
【０１８７】
（連結具１−１４の構成）
連結具１−１４は、板ばね２３０が挿入されるバネ挿入部１０ｒ、第１固定板部２０ｒ、第２固定板部３０ｒを備えている。バネ挿入部１０ｒは、開口１５ｒが形成された開口形成部１１ｒ、一対の側部１２ｒ、上端部１３ｒを備えている。第１固定板部２０ｒには、ねじ受孔２１ｒ−２が形成されている。第２固定板部３０ｒには挿込部３１ｒ−４が形成されている。第２固定板部３０ｒには開口３２ｒが形成されている。
【０１８８】
（平面部１１１の構成）
平面部１１１には、ねじの貫通孔１１５Ａが開けられたねじ用凸部１１５と、基板取付面部１１１ａから電源取付面部１１１ｂの方向へ切り起こされた一対の起立部１１６とが形成されている。
【０１８９】
（取付け状態）
図８３に示すように、挿込部３１ｒ−４が一対の起立部１１６に挿し込まれる。その際、図８６に示すように、ねじ受孔２１ｒ−２と、ねじ用凸部１１５との位置が合う。
【０１９０】
連結具１−１４には、以下の（１）から（４）の特徴がある。
【０１９１】
（一箇所で固定）
（１）連結具１−１４は、一箇所に配置された固定手段で平面部１１１に固定可能である。つまり、図８３等では、ねじ１１９と、挿込部３１ｒ−４とによって、連結具１−１４は平面部１１１に固定している。しかし、ねじ１１９のみで連結具１−１４を平面部１１１に固定してもよい。この場合、作業工程が少なくなる効果がある。
【０１９２】
（発光素子基板側への突出しなし）
（２）また、図８６に示すように、連結具１−１４が平面部１１１に固定されることに関して、電源取付面部１１１ｂよりも下方、つまり、基板取付面部１１１ａよりも、発光素子基板１２０の側へ突き出るものがない。よって、発光素子基板１２０の位置によらず、連結具１−１４を自由に平面部１１１に配置できる効果がある。
【０１９３】
（２種類の固定手段）
（３）図８３等で説明したように、連結具１−１４は、ねじ１１９と、挿込部３１ｒ−４との２種類の固定手段によって平面部１１１に固定可能である。よって、光源ユニット１００の重量に応じて固定手段を追加できるので、多様な光源ユニット１００に適用可能となる効果がある。
【０１９４】
（開口の閉塞）
（４）起立部１１６の形成にともなってできた開口１１８は挿込部３１ｒ−４で塞がれる。また、ねじ用凸部１１５の貫通孔１１５Ａはねじ１１９で塞がれる。つまり、連結具１−１４の平面部１１１への取り付けに伴って形成された開口は塞がれるので、開口からごみや虫がカバー１３０の内部に入ることを防止できる効果がある。
【０１９５】
（連結具１−１５）
図８７は連結具１−１５の斜視図である。図８８は連結具１−１５の別の斜視図である。図８９は連結具１−１５の正面図であり、Ａ方向からみた図である。図９０は連結具１−１５を平面部１１１に取り付けた状態を示す、模式的な断面図である。
【０１９６】
（連結具１−１５の構成）
連結具１−１５は、板ばね２３０が挿入されるバネ挿入部１０ｓ、第１固定板部２０ｓ、第２固定板部３０ｓを備えている。バネ挿入部１０ｓは、開口１５ｓが形成された開口形成部１１ｓ、一対の側部１２ｓ、上端部１３ｓを備えている。第１固定板部２０ｓは、全体が挿込部２１ｓ−４になっている。第２固定板部３０ｓは、一対の平板からなっている。
【０１９７】
（平面部１１１の構成）
平面部１１１には、基板取付面部１１１ａから電源取付面部１１１ｂの方向へ切り起こされたブリッジ部１１７が形成されている。
【０１９８】
（取付け状態）
挿込部２１ｓ−４は、ブリッジ部１１７に挿し込まれている。また、第２固定板部３０ｓをなす、一対の平板のそれぞれには、第２固定板部３０ｓを平面部１１１に固定するため、カシメ加工が施されている。
【０１９９】
連結具１−１５には、以下の（１）から（４）の特徴がある。
（一箇所で固定）
（１）連結具１−１５は、カシメ加工のみで平面部１１１に固定してもよい。この場合、作業工程が少なくなる。
【０２００】
（発光素子基板側への突出しなし）
（２）図９０に示すように、連結具１−１５が平面部１１１に固定されることに関して、電源取付面部１１１ｂよりも下方、つまり、基板取付面部１１１ａよりも、発光素子基板１２０の側へ突き出るものがない。よって、発光素子基板１２０の位置によらず、連結具１−１５を自由に平面部１１１に配置できる効果がある。
【０２０１】
（２種類の固定手段）
（３）図８７等で説明したように、連結具１−１５は、カシメ加工と挿込部２１ｓ−４という２種類の固定手段によって平面部１１１に固定可能である。光源ユニット１００の重量化に耐えることができる。
【０２０２】
（開口の閉塞）
（４）また、挿込部２１ｓ−４が一対の起立部１１６に挿し込まれた際には、起立部１１６の形成にともない形成された開口１１８を、挿込部２１ｓ−４が塞ぐ。つまり、連結具１−１５の平面部１１１への取り付けに伴って形成された開口は塞がれるので、開口からごみや虫がカバー１３０の内部に入ることを防止できる効果がある。
【０２０３】
（連結具１−１６）
図９１は連結具１−１６の斜視図である。図９２は連結具１−１６の別の斜視図である。図９３は連結具１−１６の正面図であり、Ａ方向からみた図である。
【０２０４】
（連結具１−１６の構成）
連結具１−１６は、板ばね２３０が挿入されるバネ挿入部１０ｔ、第１固定板部２０ｔを備えている。バネ挿入部１０ｔは、開口１５ｔが形成された開口形成部１１ｔ、一対の側部１２ｔ、上端部１３ｔを備えている。第１固定板部２０ｔには、二箇所に開口２１ｔ−２が形成されている。また、側部１２ｔからは、側部１２ｔに対して直角方向に張出部１３ｔが張り出している。張出部１３ｔの先端には挿込部１３ｔ−４が形成されている。挿込部１３ｔ−４は合計四箇所ある。
【０２０５】
（平面部１１１の構成）
平面部１１１には、四箇所に係合用開口１１８Ａが形成されている。また平面部１１１には、二箇所に切起し部１１６Ａが形成されている。
いる。
【０２０６】
（取付け状態）
図９１に示すように、四箇所の係合用開口１１８Ａに挿込部１３ｔ−４が挿入され、切起し部１１６Ａが開口２１ｔ−２に嵌る。この状態で、第１固定板部２０ｔが平面部１１１にカシメ加工によって固定されている。
【０２０７】
連結具１−１６には、以下の特徴及びその効果がある。
【０２０８】
連結具１−１６は、一箇所に配置された固定手段で平面部１１１に固定可能である。つまり、カシメ加工のみによって、連結具１−１６を平面部１１１に固定してもよい。
この場合、工程が簡素化される。また、連結具１−１６は、二箇所の開口２１ｔ−２に二箇所の切起し部１１６Ａが嵌ることのみによって、連結具１−１６を平面部１１１に固定してもよい。この場合、カシメ加工を行わないので工程が簡素化される。
【０２０９】
（連結具１−１７）
図９４は連結具１−１７の斜視図である。図９５は連結具１−１７の別の斜視図である。図９６は連結具１−１７の正面図であり、Ａ方向からみた図である。図９７は連結具１−１７を平面部１１１に取り付けた状態を示す、模式的な断面図である。
【０２１０】
（連結具１−１７の構成）
連結具１−１７は、板ばね２３０が挿入されるバネ挿入部１０ｕ、第１固定板部２０ｕを備えている。バネ挿入部１０ｕは、開口１５ｕが形成された開口形成部１１ｕ、一対の側部１２ｕ、上端部１３ｕを備えている。第１固定板部２０ｕには、ねじ受孔２１ｕ−２が形成されている。また、側部１２ｕからは、側部１２ｕに対して直角方向に張出部１３ｕが張り出している。張出部１３ｕの先端には挿込部１３ｕ−４が形成されている。挿込部１３ｕ−４は合計二箇所ある。
【０２１１】
（平面部１１１の構成）
平面部１１１には、二箇所に係合用開口１１８Ａが形成されている。また平面部１１１には、ねじの貫通孔１１５Ａが開けられたねじ用凸部１１５が形成されている。
【０２１２】
（取付け状態）
図９４に示すように、二箇所の係合用開口１１８Ａに挿込部１３ｕ−４が挿入される。また、ねじ１１９によってねじ用凸部１１５に第１固定板部２０ｕが固定される。
【０２１３】
連結具１−１７には、以下の特徴及びその効果がある。
【０２１４】
連結具１−１７は、一箇所に配置された固定手段で平面部１１１に固定可能である。
つまり、一箇所のねじ１１９のみによって連結具１−１７を平面部１１１に固定する。
この場合、工程が簡素化される。
【０２１５】
連結具１−１及び連結具１−２については図３７、図４２において、姿勢維持部６５０が、電源取付面部１１１ｂが底面部２１１ａと対向しない状態で、光源ユニット１００の姿勢を維持する場合を説明した。姿勢維持部６５０は、器具側取付部６１０とユニット側取付部６２０とが連結され、且つ、光源ユニット１００が器具本体２００に取り付けられていない状態で、プレート部１１０の電源取付面部１１１ｂが底面部２１１ａと対向した状態で、光源ユニット１００の姿勢を維持してもよい。
【０２１６】
実施の形態７では器具側取付部６１０が弾性具６６１である板ばね２３０であり、ユニット側取付部６２０が連結具６６２である連結具１−Ｎの場合を説明したが、器具側取付部６１０とユニット側取付部６２０とのどちらかは、弾性具６６１であってもよい。器具側取付部６１０が弾性具６６１の場合、ユニット側取付部６２０は、弾性具６６１と連結する連結具６６２であり実施の形態７の場合である。実施の形態７は、器具側取付部６１０が弾性具６６１であり、ユニット側取付部６２０は、弾性具６６１と連結する連結具６６２である。
ユニット側取付部６２０が弾性具６６１の場合、器具側取付部６１０は、弾性具６６１と連結する連結具６６２である。いずれの場合も、連結具１−Ｎは、光源ユニット１００と器具本体２００とが離隔している状態で、光源ユニット１００のプレート部１１０の２つの側辺のうち一方の側辺１１１−１が他方の側辺１１１−２よりも凹部２１１の底をなす底面部２１１ａに対して近い位置に存在するように、光源ユニット１００の姿勢を維持する。
姿勢維持部６５０は、器具側取付部６１０と、ユニット側取付部６２０とのいずれかに配置されてよい。姿勢維持部６５０が器具側取付部６１０に配置されるのは、例えば、器具側取付部６１０が連結具１−Ｎの場合であり、姿勢維持部６５０がユニット側取付部６２０に配置されるのは、例えばユニット側取付部６２０が連結具１−Ｎの場合である。
【０２１７】
実施の形態７では、連結具１−Ｎが配置されるプレート部１１０の平面部１１１には開口が形成されているが、ユニット側取付部６２０である連結具１−Ｎは、その開口を塞いでいる。そのため、開口から虫がカバー１３０の内部に入り込むことを防止できる。
【０２１８】
なお、取付装置６００は、複数のユニット側取付部６２０を備えており、複数のユニット側取付部６２０は、プレート部１１０の長手方向Ｘに沿って、離隔して配置されてもよい。
【０２１９】
以上、本発明の実施の形態について説明したが、これらの実施の形態のうち、２つ以上を組み合わせて実施しても構わない。あるいは、これらの実施の形態のうち、１つを部分的に実施しても構わない。あるいは、これらの実施の形態のうち、２つ以上を部分的に組み合わせて実施しても構わない。なお、本発明は、これらの実施の形態に限定されるものではなく、必要に応じて種々の変更が可能である。
【符号の説明】
【０２２０】
１−１〜１−１７  連結具、１０  照明装置、２２ａ  維持補助部、１００  光源ユニット、１１０  プレート部、１１１  平面部、１１１−１  一方の側辺、１１１−２  他方の側辺、１１１ａ  基板取付面部、１１１ｂ  電源取付面部、１１１ｃ  取付け部、１１１ｄ  中心線、１１２  プレート側部、１１２ａ  プレート係合部、１１３  ねじ孔、１１４  突出部、１１５  ねじ用凸部、１１５Ａ  貫通孔、１１６  起立部、１１７  ブリッジ部、１１７Ｃ  開口、１１８  開口、１１９  ねじ、１１９Ａ  先端、１２０  発光素子基板、１２０ａ  発光素子、１２０ｂ  基板、１３０  カバー、１３１  カバー側部、１３２  カバー前面部、１３３  カバー係合部、１３４  端部カバー、１４０  電源装置、１５０  連結具、１５０１  板部、１５１，１５１ａ  上端部、１５２  開口、１５２ａ  上辺部、１５２ｂ  下辺部、１５２ｃ  側辺部、１５２ｄ，１５２ｅ  傾斜辺部、１５２ｃｄ，１５２ｃｅ  接続辺部、１５３  取付部材、１５４  ねじ止め部、２００  器具本体、２１０  本体部、２０１  開口部、２１１  凹部、２１１ａ  底面部、２１１ｂ  側面部、２１１ｂａ  開口縁部、２１１ｄ  傾斜部、２２０  端板部、２３０  板ばね、２３１  固定部、２３２  円弧形状部、２３３  先端部、２４０  端子台、２５０  電源線挿入孔、２５１  ボルト挿入孔、２５０１  貫通孔、２６０  ユニット端部、３００  取付部、４００  吊ボルト、５００  電線、５００ａ  電源電線、５００ｂ  送り電線、５００ｃ  第１電線、５００ｄ  ハーネス、５００ｅ  第２電線、５０１，５０２  コネクタ、６００，６００−２，６００−３  取付装置、６１０  器具側取付部、６２０  ユニット側取付部、６４１  第１の固定部、６４２  第２の固定部、６５０  姿勢維持部、６６１  弾性具、６６２  連結具、７０１  中央部、７０２，７０３  矢印、９１１２  光源側嵌合部、９２１２  器具側嵌合部、９１５１  連結側嵌合部、９１５２ａ  縁、９１５２ｃ  幅の両端、９０１０  引張機構部、９２００  器具側取付部、９１００  光源側取付部。
【図１】
2019029133.tif 000003
【図２】
2019029133.tif 000004
【図３】
2019029133.tif 000005
【図４】
2019029133.tif 000006
【図５】
2019029133.tif 000007
【図６】
2019029133.tif 000008
【図７】
2019029133.tif 000009
【図８】
2019029133.tif 000010
【図９】
2019029133.tif 000011
【図１０】
2019029133.tif 000012
【図１１】
2019029133.tif 000013
【図１２】
2019029133.tif 000014
【図１３】
2019029133.tif 000015
【図１４】
2019029133.tif 000016
【図１５】
2019029133.tif 000017
【図１６】
2019029133.tif 000018
【図１７】
2019029133.tif 000019
【図１８】
2019029133.tif 000020
【図１９】
2019029133.tif 000021
【図２０】
2019029133.tif 000022
【図２１】
2019029133.tif 000023
【図２２】
2019029133.tif 000024
【図２３】
2019029133.tif 000025
【図２４】
2019029133.tif 000026
【図２５】
2019029133.tif 000027
【図２６】
2019029133.tif 000028
【図２７】
2019029133.tif 000029
【図２８】
2019029133.tif 000030
【図２９】
2019029133.tif 000031
【図３０】
2019029133.tif 000032
【図３１】
2019029133.tif 000033
【図３２】
2019029133.tif 000034
【図３３】
2019029133.tif 000035
【図３４】
2019029133.tif 000036
【図３５】
2019029133.tif 000037
【図３６】
2019029133.tif 000038
【図３７】
2019029133.tif 000039
【図３８】
2019029133.tif 000040
【図３９】
2019029133.tif 000041
【図４０】
2019029133.tif 000042
【図４１】
2019029133.tif 000043
【図４２】
2019029133.tif 000044
【図４３】
2019029133.tif 000045
【図４４】
2019029133.tif 000046
【図４５】
2019029133.tif 000047
【図４６】
2019029133.tif 000048
【図４７】
2019029133.tif 000049
【図４８】
2019029133.tif 000050
【図４９】
2019029133.tif 000051
【図５０】
2019029133.tif 000052
【図５１】
2019029133.tif 000053
【図５２】
2019029133.tif 000054
【図５３】
2019029133.tif 000055
【図５４】
2019029133.tif 000056
【図５５】
2019029133.tif 000057
【図５６】
2019029133.tif 000058
【図５７】
2019029133.tif 000059
【図５８】
2019029133.tif 000060
【図５９】
2019029133.tif 000061
【図６０】
2019029133.tif 000062
【図６１】
2019029133.tif 000063
【図６２】
2019029133.tif 000064
【図６３】
2019029133.tif 000065
【図６４】
2019029133.tif 000066
【図６５】
2019029133.tif 000067
【図６６】
2019029133.tif 000068
【図６７】
2019029133.tif 000069
【図６８】
2019029133.tif 000070
【図６９】
2019029133.tif 000071
【図７０】
2019029133.tif 000072
【図７１】
2019029133.tif 000073
【図７２】
2019029133.tif 000074
【図７３】
2019029133.tif 000075
【図７４】
2019029133.tif 000076
【図７５】
2019029133.tif 000077
【図７６】
2019029133.tif 000078
【図７７】
2019029133.tif 000079
【図７８】
2019029133.tif 000080
【図７９】
2019029133.tif 000081
【図８０】
2019029133.tif 000082
【図８１】
2019029133.tif 000083
【図８２】
2019029133.tif 000084
【図８３】
2019029133.tif 000085
【図８４】
2019029133.tif 000086
【図８５】
2019029133.tif 000087
【図８６】
2019029133.tif 000088
【図８７】
2019029133.tif 000089
【図８８】
2019029133.tif 000090
【図８９】
2019029133.tif 000091
【図９０】
2019029133.tif 000092
【図９１】
2019029133.tif 000093
【図９２】
2019029133.tif 000094
【図９３】
2019029133.tif 000095
【図９４】
2019029133.tif 000096
【図９５】
2019029133.tif 000097
【図９６】
2019029133.tif 000098
【図９７】
2019029133.tif 000099